(57)【要約】  設定方法及び機器を提供し、該方法において、端末機器の省電力モード又は省電力レベルを明示的又は暗黙的に指示する第１メッセージをネットワーク側機器に送信することと、前記ネットワーク側機器から前記第１メッセージの第１フィードバック情報を受信することと、前記第１フィードバック情報に基づいて、前記端末機器の消費電力に関する１つ又は複数の第１パラメータの値を設定することとを含む。【選択図】  図２
2021524711.tif 000002
【特許請求の範囲】
【請求項１】
端末機器に応用される設定方法であって、
前記端末機器の省電力モード又は省電力レベルを明示的又は暗黙的に指示する第１メッセージをネットワーク側機器に送信することと、
前記ネットワーク側機器から前記第１メッセージの第１フィードバック情報を受信することと、
前記第１フィードバック情報に基づいて、前記端末機器の消費電力に関する１つ又は複数の第１パラメータの値を設定することとを含む、設定方法。
【請求項２】
前記の第１メッセージをネットワーク側機器に送信することは、
前記端末機器の消費電力情報に基づいて、前記第１メッセージを前記ネットワーク側機器に送信することを含む、請求項１に記載の設定方法。
【請求項３】
前記第１フィードバック情報は、第１メッセージに対する肯定応答ＡＣＫ又は否定応答ＮＡＣＫ、前記ネットワーク側機器が前記端末機器に対して設定した省電力モード又は省電力レベルの識別子、及び、前記端末機器の消費電力に関する第２パラメータであって、前記ネットワーク側機器が前記端末機器に対して設定した１つ又は複数の第２パラメータの値のうちの１つ又は複数を含む、請求項１に記載の設定方法。
【請求項４】
前記第１メッセージは、前記端末機器の消費電力に関する１つ又は複数の第３パラメータの値に対応する値をとる第１フィールドを含み、又は、
前記第１メッセージは、１つの省電力モード又は省電力レベルの１つ又は複数の第４パラメータの値に対応する値をとる第２フィールドを含み、又は、
前記第１メッセージは、１つ又は複数の第１ビット列を含む第３フィールドを含み、各前記第１ビット列の値は、前記端末機器の消費電力に関する第５パラメータの値に対応する、請求項１〜３のいずれか１項に記載の設定方法。
【請求項５】
前記第３パラメータ及び前記第３パラメータの値は、前記ネットワーク側機器によって設定されるか、プロトコルで取り決められ、又は、
前記第４パラメータ及び前記第４パラメータの値は、前記ネットワーク側機器によって設定されるか、プロトコルで取り決められ、又は、
前記第５パラメータ及び前記第５パラメータの値は、前記ネットワーク側機器によって設定されるか、プロトコルで取り決められる、請求項４に記載の設定方法。
【請求項６】
前記第１パラメータ、前記第２パラメータ、前記第３パラメータ、前記第４パラメータ又は前記第５パラメータは、
前記端末機器の送信アンテナ又は送信チャネルの数と、前記端末機器の受信アンテナ又は受信チャネルの数と、同時に活性化される上りコンポーネントキャリアの数と、同時に活性化される下りコンポーネントキャリアの数と、物理下り制御チャネルＰＤＣＣＨと前記物理下り制御チャネルＰＤＣＣＨによりスケジューリングされる物理下り共有チャネルＰＤＳＣＨとの間の時間間隔と、物理下り共有チャネルＰＤＳＣＨと対応する肯定応答ＮＡＣＫ又は否定応答ＮＡＣＫとの間の時間間隔と、物理下り制御チャネルＰＤＣＣＨと前記物理下り制御チャネルＰＤＣＣＨによりスケジューリングされる物理上り共有チャネルＰＵＳＣＨとの間の時間間隔と、物理下り共有チャネルＰＤＳＣＨ処理遅延と、ＰＵＳＣＨ準備遅延と、下り多入力多出力ＭＩＭＯレイヤ数と、上りＭＩＭＯレイヤ数と、物理下り制御チャネルＰＤＣＣＨ傍受周期と、物理下り制御チャネルＰＤＣＣＨ傍受オフセットと、物理下り制御チャネルＰＤＣＣＨ傍受期間と、不連続受信ＤＲＸ周期と、帯域幅部分ＢＷＰの帯域幅と、ＢＷＰの識別子ＩＤと、デュアル接続ＤＣと、非デュアル接続ｎｏｎ−ＤＣと、最大上り伝送レートと、最大下り伝送レートと、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む、請求項１〜５のいずれか１項に記載の設定方法。
【請求項７】
ネットワーク側機器に応用される設定方法であって、
端末機器から、前記端末機器の省電力モード又は省電力レベルを明示的又は暗黙的に指示する第１メッセージを受信することと、
前記端末機器に第１フィードバック情報に基づいて前記端末機器の消費電力に関する１つ又は複数の第１パラメータの値を設定させるために、前記端末機器に前記第１メッセージの第１フィードバック情報を送信することとを含む、設定方法。
【請求項８】
前記第１フィードバック情報は、第１メッセージに対する肯定応答ＮＡＣＫ又は否定応答ＮＡＣＫ、前記ネットワーク側機器が前記端末機器に対して設定した省電力モード又は省電力レベルの識別子、及び、前記端末機器の消費電力に関する第２パラメータであって、前記ネットワーク側機器が前記端末機器に対して設定した１つ又は複数の第２パラメータの値のうちの１つ又は複数を含む、請求項７に記載の設定方法。
【請求項９】
前記第１メッセージは、前記端末機器の消費電力に関する１つ又は複数の第３パラメータの値に対応する値をとる第１フィールドを含み、又は、
前記第１メッセージは、１つの省電力モード又は省電力レベルの１つ又は複数の第４パラメータの値に対応する値をとる第２フィールドを含み、又は、
前記第１メッセージは、１つ又は複数の第１ビット列を含む第３フィールドを含み、各前記第１ビット列の値は、前記端末機器の消費電力に関する第５パラメータの値に対応する、請求項７又は８に記載の設定方法。
【請求項１０】
前記第３パラメータ及び前記第３パラメータの値は、前記ネットワーク側機器によって設定されるか、プロトコルで取り決められ、又は、
前記第４パラメータ及び前記第４パラメータの値は、前記ネットワーク側機器によって設定されるか、プロトコルで取り決められ、又は、
前記第５パラメータ及び前記第５パラメータの値は、前記ネットワーク側機器によって設定されるか、プロトコルで取り決められる、請求項９に記載の設定方法。
【請求項１１】
前記第１パラメータ、前記第２パラメータ、前記第３パラメータ、前記第４パラメータ又は前記第５パラメータは、
前記端末機器の送信アンテナ又は送信チャネルの数と、前記端末機器の受信アンテナ又は受信チャネルの数と、同時に活性化される上りコンポーネントキャリアの数と、同時に活性化される下りコンポーネントキャリアの数と、物理下り制御チャネルＰＤＣＣＨと前記物理下り制御チャネルＰＤＣＣＨによりスケジューリングされる物理下り共有チャネルＰＤＳＣＨとの間の時間間隔と、物理下り共有チャネルＰＤＳＣＨと対応する肯定応答ＮＡＣＫ又は否定応答ＮＡＣＫとの間の時間間隔と、物理下り制御チャネルＰＤＣＣＨと前記物理下り制御チャネルＰＤＣＣＨによりスケジューリングされるＰＵＳＣＨとの間の時間間隔と、物理下り共有チャネルＰＤＳＣＨ処理遅延と、ＰＵＳＣＨ準備遅延と、下りＭＩＭＯレイヤ数と、上りＭＩＭＯレイヤ数と、物理下り制御チャネルＰＤＣＣＨ傍受周期と、物理下り制御チャネルＰＤＣＣＨ傍受オフセットと、物理下り制御チャネルＰＤＣＣＨ傍受期間と、不連続受信ＤＲＸ周期と、ＢＷＰの帯域幅と、ＢＷＰのＩＤと、ＤＣと、ｎｏｎ−ＤＣと、最大上り伝送レートと、最大下り伝送レートと、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む、請求項７〜１０のいずれか１項に記載の設定方法。
【請求項１２】
端末機器に応用される設定方法であって、
前記端末機器の省電力モード又は省電力レベルの設定情報をネットワーク側機器から受信することと、
前記設定情報に基づいて、前記端末機器の省電力モード又は省電力レベルに対応する１つ又は複数の第６パラメータの値を設定することとを含む、設定方法。
【請求項１３】
前記の前記端末機器の省電力モード又は省電力レベルの設定情報をネットワーク側機器から受信することは、
無線リソース制御ＲＲＣシグナリング、メディアアクセス制御ＭＡＣシグナリング又は物理下り制御チャネルＰＤＣＣＨシグナリングによって、前記端末機器の省電力モード又は省電力レベルの設定情報を受信することを含む、請求項１２に記載の設定方法。
【請求項１４】
前記設定情報は、前記端末機器の消費電力に関する１つ又は複数の第７パラメータの値に対応する値をとる第４フィールドを含み、又は、
前記設定情報は、１つの省電力モード又は省電力レベルの１つ又は複数の第８パラメータの値に対応する値をとる第５フィールドを含み、又は、
前記設定情報は、１つ又は複数の第２ビット列を含む第６フィールドを含み、各前記第２ビット列の値は、前記端末機器の消費電力に関する第９パラメータの値に対応する、請求項１２又は１３に記載の設定方法。
【請求項１５】
前記第７パラメータ及び前記第７パラメータの値は、前記ネットワーク側機器によって設定されるか、プロトコルで取り決められ、又は、
前記第８パラメータ及び前記第８パラメータの値は、前記ネットワーク側機器によって設定されるか、プロトコルで取り決められ、又は、
前記第９パラメータ及び前記第９パラメータの値は、前記ネットワーク側機器によって設定されるか、プロトコルで取り決められる、請求項１４に記載の設定方法。
【請求項１６】
前記第６パラメータ、前記第７パラメータ、前記第８パラメータ又は前記第９パラメータは、
前記端末機器の送信アンテナ又は送信チャネルの数と、前記端末機器の受信アンテナ又は受信チャネルの数と、同時に活性化される上りコンポーネントキャリアの数と、同時に活性化される下りコンポーネントキャリアの数と、物理下り制御チャネルＰＤＣＣＨと前記物理下り制御チャネルＰＤＣＣＨによりスケジューリングされる物理下り共有チャネルＰＤＳＣＨとの間の時間間隔と、物理下り共有チャネルＰＤＳＣＨと対応する肯定応答ＮＡＣＫ又は否定応答ＮＡＣＫとの間の時間間隔と、物理下り制御チャネルＰＤＣＣＨと前記物理下り制御チャネルＰＤＣＣＨによりスケジューリングされるＰＵＳＣＨとの間の時間間隔と、物理下り共有チャネルＰＤＳＣＨ処理遅延と、ＰＵＳＣＨ準備遅延と、下りＭＩＭＯレイヤ数と、上りＭＩＭＯレイヤ数と、物理下り制御チャネルＰＤＣＣＨ傍受周期と、物理下り制御チャネルＰＤＣＣＨ傍受オフセットと、物理下り制御チャネルＰＤＣＣＨ傍受期間と、不連続受信ＤＲＸ周期と、ＢＷＰの帯域幅と、ＢＷＰのＩＤと、ＤＣと、ｎｏｎ−ＤＣと、最大上り伝送レートと、最大下り伝送レートと、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む、請求項１２〜１５のいずれか１項に記載の設定方法。
【請求項１７】
ネットワーク側機器に応用される設定方法であって、
前記端末機器に設定情報に基づいて前記端末機器の省電力モード又は省電力レベルの１つ又は複数の第６パラメータの値を設定させるために、端末機器に前記端末機器の省電力モード又は省電力レベルの設定情報を送信することを含む、設定方法。
【請求項１８】
前記の端末機器に前記端末機器の省電力モード又は省電力レベルの設定情報を送信することは、
ＲＲＣシグナリング、ＭＡＣシグナリング又は物理下り制御チャネルＰＤＣＣＨシグナリングによって、前記端末機器の省電力モード又は省電力レベルの設定情報を前記端末機器に送信することを含む、請求項１７に記載の設定方法。
【請求項１９】
前記設定情報は、前記端末機器の消費電力に関する１つ又は複数の第７パラメータの値に対応する値をとる第４フィールドを含み、又は、
前記設定情報は、１つの省電力モード又は省電力レベルの１つ又は複数の第８パラメータの値に対応する値をとる第５フィールドを含み、又は、
前記設定情報は、１つ又は複数の第２ビット列を含む第６フィールドを含み、各前記第２ビット列の値は、前記端末機器の消費電力に関する第９パラメータの値に対応する、請求項１７又は１８に記載の設定方法。
【請求項２０】
前記第７パラメータ及び前記第７パラメータの値は、前記ネットワーク側機器によって設定されるか、プロトコルで取り決められ、又は、
前記第８パラメータ及び前記第８パラメータの値は、前記ネットワーク側機器によって設定されるか、プロトコルで取り決められ、又は、
前記第９パラメータ及び前記第９パラメータの値は、前記ネットワーク側機器によって設定されるか、プロトコルで取り決められる、請求項１９に記載の設定方法。
【請求項２１】
前記第６パラメータ、前記第７パラメータ、前記第８パラメータ又は前記第９パラメータは、
前記端末機器の送信アンテナ又は送信チャネルの数と、前記端末機器の受信アンテナ又は受信チャネルの数と、同時に活性化される上りコンポーネントキャリアの数と、同時に活性化される下りコンポーネントキャリアの数と、物理下り制御チャネルＰＤＣＣＨと前記物理下り制御チャネルＰＤＣＣＨによりスケジューリングされる物理下り共有チャネルＰＤＳＣＨとの間の時間間隔と、物理下り共有チャネルＰＤＳＣＨと対応する肯定応答ＮＡＣＫ又は否定応答ＮＡＣＫとの間の時間間隔と、物理下り制御チャネルＰＤＣＣＨと前記物理下り制御チャネルＰＤＣＣＨによりスケジューリングされるＰＵＳＣＨとの間の時間間隔と、物理下り共有チャネルＰＤＳＣＨ処理遅延と、ＰＵＳＣＨ準備遅延と、下りＭＩＭＯレイヤ数と、上りＭＩＭＯレイヤ数と、物理下り制御チャネルＰＤＣＣＨ傍受周期と、物理下り制御チャネルＰＤＣＣＨ傍受オフセットと、物理下り制御チャネルＰＤＣＣＨ傍受期間と、ＢＷＰの帯域幅と、ＢＷＰのＩＤと、ＤＣと、ｎｏｎ−ＤＣと、最大上り伝送レートと、最大下り伝送レートと、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む、請求項１８〜２０のいずれか１項に記載の設定方法。
【請求項２２】
端末機器に応用される設定方法であって、
前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む第１０パラメータを１つ又は複数含む第２メッセージをネットワーク側機器に送信することと、
前記第２メッセージの第２フィードバック情報を前記ネットワーク側機器から受信することと、
前記第２フィードバック情報に基づいて前記第１０パラメータの値を設定し、又は前記第２フィードバック情報に基づいて信号処理を行うこととを含む、設定方法。
【請求項２３】
前記第２フィードバック情報は、
前記第２メッセージに対する肯定応答ＮＡＣＫ又は否定応答ＮＡＣＫ、及び前記ネットワーク側機器が前記端末に対して設定した少なくとも１つの前記第１０パラメータの値のうちの少なくとも１つを含む、請求項２２に記載の設定方法。
【請求項２４】
ネットワーク側機器に応用される設定方法であって、
前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む第１０パラメータを１つ又は複数含む第２メッセージを端末機器から受信することと、
前記端末機器に第２フィードバック情報に基づいて前記第１０パラメータの値を設定させるか、又は前記第２フィードバック情報に基づいて信号処理を行わせるために、前記第２メッセージの第２フィードバック情報を前記端末機器に送信することとを含む、設定方法。
【請求項２５】
前記第２フィードバック情報は、
前記第２メッセージに対する肯定応答ＮＡＣＫ又は否定応答ＮＡＣＫ、及び前記ネットワーク側機器が前記端末に対して設定した少なくとも１つの前記第１０パラメータの値のうちの少なくとも１つを含む、請求項２４に記載の設定方法。
【請求項２６】
端末機器であって、
前記端末機器の省電力モード又は省電力レベルを明示的又は暗黙的に指示する第１メッセージをネットワーク側機器に送信する第１送信モジュールと、
前記ネットワーク側機器から前記第１メッセージの第１フィードバック情報を受信する第１受信モジュールと、
前記第１フィードバック情報に基づいて、前記端末機器の消費電力に関する１つ又は複数の第１パラメータの値を設定する第１処理モジュールとを含む、端末機器。
【請求項２７】
ネットワーク側機器であって、
端末機器から、前記端末機器の省電力モード又は省電力レベルを明示的又は暗黙的に指示する第１メッセージを受信する第２受信モジュールと、
前記端末機器に第１フィードバック情報に基づいて前記端末機器の消費電力に関する１つ又は複数の第１パラメータの値を設定させるために、前記端末機器に前記第１メッセージの第１フィードバック情報を送信する第２送信モジュールとを含む、ネットワーク側機器。
【請求項２８】
端末機器であって、
前記端末機器の省電力モード又は省電力レベルの設定情報をネットワーク側機器から受信する第３受信モジュールと、
前記設定情報に基づいて、前記端末機器の省電力モード又は省電力レベルに対応する１つ又は複数の第６パラメータの値を設定する第２処理モジュールとを含む、端末機器。
【請求項２９】
ネットワーク側機器であって、
前記端末機器に設定情報に基づいて前記端末機器の省電力モード又は省電力レベルの１つ又は複数の第６パラメータの値を設定させるために、端末機器に前記端末機器の省電力モード又は省電力レベルの設定情報を送信する第３送信モジュールを含む、ネットワーク側機器。
【請求項３０】
端末機器であって、
前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む第１０パラメータを１つ又は複数含む第２メッセージをネットワーク側機器に送信する第４送信モジュールと、
前記第２メッセージの第２フィードバック情報を前記ネットワーク側機器から受信する第４受信モジュールと、
前記第２フィードバック情報に基づいて前記第１０パラメータの値を設定し、又は前記第２フィードバック情報に基づいて信号処理を行う第３処理モジュールとを含む、端末機器。
【請求項３１】
ネットワーク側機器であって、
前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む第１０パラメータを１つ又は複数含む第２メッセージを端末機器から受信する第５受信モジュールと、
前記端末機器に第２フィードバック情報に基づいて前記第１０パラメータの値を設定させるか、又は前記第２フィードバック情報に基づいて信号処理を行わせるために、前記第２メッセージの第２フィードバック情報を前記端末機器に送信する第５送信モジュールとを含む、ネットワーク側機器。
【請求項３２】
プロセッサと、メモリと、前記メモリに格納されて前記プロセッサで動作可能なコンピュータプログラムを含む端末機器であって、
前記コンピュータプログラムが前記プロセッサによって実行されると、請求項１〜６のいずれか１項に記載の設定方法のステップが実現され、又は、請求項１２〜１６のいずれか１項に記載の設定方法のステップが実現され、又は、請求項２２〜２３のいずれか１項に記載の設定方法のステップが実現される、端末機器。
【請求項３３】
プロセッサと、メモリと、前記メモリに格納されて前記プロセッサで動作可能なコンピュータプログラムを含むネットワーク側機器であって、
前記コンピュータプログラムが前記プロセッサによって実行されると、請求項７〜１１のいずれか１項に記載の設定方法のステップが実現され、又は、請求項１７〜２１のいずれか１項に記載の設定方法のステップが実現され、又は、請求項２４〜２５のいずれか１項に記載の設定方法のステップが実現される、ネットワーク側機器。
【請求項３４】
コンピュータプログラムが格納されているコンピュータ読み取り可能な記憶媒体であって、
前記コンピュータプログラムがプロセッサによって実行されると、請求項１〜２５のいずれか１項に記載の設定方法のステップが実現される、コンピュータ読み取り可能な記憶媒体。
【発明の詳細な説明】
【技術分野】
【０００１】
（関連出願の相互参照）
本願は、２０１８年７月１１日に中国特許庁に提出された中国特許出願２０１８１０７５７９４７．５の優先権を主張し、その全ての内容が援用によりここに取り込まれる。
本開示の実施例は、通信技術分野に係り、具体的には設定方法及び機器に係る。
【背景技術】
【０００２】
ニューラジオ（Ｎｅｗ  Ｒａｄｉｏ：ＮＲ）のリリース１５（ｒｅｌｅａｓｅ  １５：Ｒ１５）規格では、端末機器（例えば、ユーザ機器（Ｕｓｅｒ  Ｅｑｕｉｐｍｅｎｔ：ＵＥ））の省電力に関するパラメータが規定されている。省電力関連パラメータの値によって、端末機器の消費電力量が異なる。
【０００３】
従来技術のパラメータ設定方式として、基地局は、省電力に関するパラメータを直接的に又は間接的に端末機器に設定する。省電力に関するパラメータは多いため、これらのパラメータを全て短時間で設定することは、シグナリングオーバーヘッドが大きい。
【発明の概要】
【発明が解決しようとする課題】
【０００４】
本開示の実施例の１つの目的は、設定方法及び機器を提供して、端末機器の省電力関連パラメータを設定するためのオーバーヘッドが大きいという問題を解決することである。
【課題を解決するための手段】
【０００５】
第１態様として、端末機器に応用される設定方法を提供し、前記設定方法において、前記端末機器の省電力モード又は省電力レベルを明示的又は暗黙的に指示する第１メッセージをネットワーク側機器に送信することと、前記ネットワーク側機器から前記第１メッセージの第１フィードバック情報を受信することと、前記第１フィードバック情報に基づいて、前記端末機器の消費電力に関する１つ又は複数の第１パラメータの値を設定することとを含む。
【０００６】
第２態様として、ネットワーク側機器に応用される設定方法を更に提供し、端末機器から、前記端末機器の省電力モード又は省電力レベルを明示的又は暗黙的に指示する第１メッセージを受信することと、前記端末機器に第１フィードバック情報に基づいて前記端末機器の消費電力に関する１つ又は複数の第１パラメータの値を設定させるために、前記端末機器に前記第１メッセージの前記第１フィードバック情報を送信することとを含む。
【０００７】
第３態様として、端末機器に応用される設定方法を更に提供し、前記端末機器の省電力モード又は省電力レベルの設定情報をネットワーク側機器から受信することと、前記設定情報に基づいて、前記端末機器の省電力モード又は省電力レベルに対応する１つ又は複数の第６パラメータの値を設定することとを含む。
【０００８】
第４態様として、ネットワーク側機器に応用される設定方法を更に提供し、前記端末機器に設定情報に基づいて前記端末機器の省電力モード又は省電力レベルの１つ又は複数の第６パラメータの値を設定させるために、端末機器に前記端末機器の省電力モード又は省電力レベルの前記設定情報を送信することを含む。
【０００９】
第５態様として、端末機器に応用される設定方法を更に提供し、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む第１０パラメータを１つ又は複数含む第２メッセージをネットワーク側機器に送信することと、前記第２メッセージの第２フィードバック情報を前記ネットワーク側機器から受信することと、前記第２フィードバック情報に基づいて前記第１０パラメータの値を設定するか、又は前記第２フィードバック情報に基づいて信号処理を行うこととを含む。
【００１０】
第６態様として、ネットワーク側機器に応用される設定方法を更に提供し、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む第１０パラメータを１つ又は複数含む第２メッセージを端末機器から受信することと、前記端末機器に第２フィードバック情報に基づいて前記第１０パラメータの値を設定させるか、又は前記第２フィードバック情報に基づいて信号処理を行わせるために、前記第２メッセージの第２フィードバック情報を前記端末機器に送信することとを含む。
【００１１】
第７態様として、端末機器を更に提供し、前記端末機器の省電力モード又は省電力レベルを明示的又は暗黙的に指示する第１メッセージをネットワーク側機器に送信する第１送信モジュールと、前記ネットワーク側機器から前記第１メッセージの第１フィードバック情報を受信する第１受信モジュールと、前記第１フィードバック情報に基づいて、前記端末機器の消費電力に関する１つ又は複数の第１パラメータの値を設定する第１処理モジュールとを含む。
【００１２】
第８態様として、ネットワーク側機器を更に提供し、端末機器から、前記端末機器の省電力モード又は省電力レベルを明示的又は暗黙的に指示する第１メッセージを受信する第２受信モジュールと、前記端末機器に第１フィードバック情報に基づいて前記端末機器の消費電力に関する１つ又は複数の第１パラメータの値を設定させるために、前記端末機器に前記第１メッセージの第１フィードバック情報を送信する第２送信モジュールとを含む。
【００１３】
第９態様として、端末機器を更に提供し、前記端末機器の省電力モード又は省電力レベルの設定情報をネットワーク側機器から受信する第３受信モジュールと、前記設定情報に基づいて、前記端末機器の省電力モード又は省電力レベルに対応する１つ又は複数の第６パラメータの値を設定する第２処理モジュールとを含む。
【００１４】
第１０態様として、ネットワーク側機器を更に提供し、前記端末機器に設定情報に基づいて前記端末機器の省電力モード又は省電力レベルの１つ又は複数の第６パラメータの値を設定させるために、端末機器に前記端末機器の省電力モード又は省電力レベルの前記設定情報を送信する第３送信モジュールを含む。
【００１５】
第１１態様として、端末機器を更に提供し、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む第１０パラメータを１つ又は複数含む第２メッセージをネットワーク側機器に送信する第４送信モジュールと、前記第２メッセージの第２フィードバック情報を前記ネットワーク側機器から受信する第４受信モジュールと、前記第２フィードバック情報に基づいて前記第１０パラメータの値を設定するか、又は前記第２フィードバック情報に基づいて信号処理を行う第３処理モジュールとを含む。
【００１６】
第１２態様として、ネットワーク側機器を更に提供し、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む第１０パラメータを１つ又は複数含む第２メッセージを端末機器から受信する第５受信モジュールと、前記端末機器に第２フィードバック情報に基づいて前記第１０パラメータの値を設定させるか、又は前記第２フィードバック情報に基づいて信号処理を行わせるために、前記第２メッセージの前記第２フィードバック情報を前記端末機器に送信する第５送信モジュールとを含む。
【００１７】
第１３態様として、プロセッサと、メモリと、前記メモリに格納されて前記プロセッサで動作可能なコンピュータプログラムを含む端末機器を更に提供し、前記コンピュータプログラムが前記プロセッサによって実行されると、第１態様又は第３態様又は第５態様に記載の設定方法のステップが実現される。
【００１８】
第１４態様として、プロセッサと、メモリと、前記メモリに格納されて前記プロセッサで動作可能なコンピュータプログラムを含むネットワーク側機器を更に提供し、前記コンピュータプログラムが前記プロセッサによって実行されると、第２態様又は第４態様又は第６態様に記載の設定方法のステップが実現される。
【００１９】
第１５態様として、コンピュータプログラムが格納されているコンピュータ読み取り可能な記憶媒体を更に提供し、前記コンピュータプログラムがプロセッサによって実行されると、第１態様〜第６態様に記載の設定方法のステップが実現される。
【発明の効果】
【００２０】
本開示の実施例において、ネットワーク側機器は、端末機器に対して異なる省電力モード又は省電力レベルを設定し、例えば端末機器に対して異なる省電力モード又は省電力レベルを設定するだけで、端末機器は、設定された省電力モード又は省電力レベルに基づいて、その省電力モード又は省電力レベルに対応するパラメータ（省電力関連パラメータとも呼ぶ）及びそのパラメータの値を決定することができるので、設定プロセスにおけるシグナリング伝送のオーバーヘッドを節約し、処理遅延を低減することができる。また、端末機器は、その端末機器の消費電力情報に基づいて、省電力モード又は省電力レベルをネットワーク側機器に報告することができ、端末機器の省電力化に寄与する。
【００２１】
他の様々な利点やメリットは、当業者にとって、以下の選択可能な実施形態の詳細な記載から明らかになる。図面は、選択可能な実施形態を示すという目的のみに用いられるものであり、本開示への制限と見なされない。しかも、すべての図面を通して、同じ参照記号で同じ設定要素を示す。
【図面の簡単な説明】
【００２２】
【図１】本開示の実施例に係る無線通信システムのアーキテクチャ概略図である。
【図２】本開示の実施例に係る設定方法のフローチャートその１である。
【図３】本開示の実施例に係る設定方法のフローチャートその２である。
【図４】本開示の実施例に係る設定方法のフローチャートその３である。
【図５】本開示の実施例に係る設定方法のフローチャートその４である。
【図６】本開示の実施例に係る設定方法のフローチャートその５である。
【図７】本開示の実施例に係る設定方法のフローチャートその６である。
【図８】本開示の実施例に係る端末機器の構造図その１である。
【図９】本開示の実施例に係るネットワーク側機器の構造図その１である。
【図１０】本開示の実施例に係る端末機器の構造図その２である。
【図１１】本開示の実施例に係るネットワーク側機器の構造図その２である。
【図１２】本開示の実施例に係る端末機器の構造図その３である。
【図１３】本開示の実施例に係るネットワーク側機器の構造図その３である。
【図１４】本開示の実施例に係る端末機器の構造図その４である。
【図１５】本開示の実施例に係るネットワーク側機器の構造図その４である。
【発明を実施するための形態】
【００２３】
以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本開示の保護範囲に属するものである。
【００２４】
本願の明細書及び特許請求の範囲における「含む」及びそのあらゆる変形は、非排他的に含むことを意味する。例えば、一連のステップ又はユニットを含むプロセス、方法、システム、製品又は機器は、明確に列挙されているステップ又はユニットに限定されず、明確に列挙されていないものや、これらのプロセス、方法、製品又は機器に固有の他のステップ又はユニットを含んでもよい。また、明細書及び請求項に使用される「及び／又は」は、連結対象のうちの少なくとも１つを示す。例えばＡ及び／又はＢは、Ａのみ、Ｂのみ、及び、ＡとＢの両方の３種類のケースを示す。
【００２５】
本開示の実施例において、「例示的」又は「例えば」などの用語は、例、例証又は説明を示すことに用いられる。本開示の実施例において、「例示的」又は「例えば」で記載されるあらゆる実施例や設計手段は、ほかの実施例や設計手段より好適であり又は優位に立つというふうに解釈されてはならない。適切に言えば、「例示的」又は「例えば」などの用語は、具体的な方式で関連概念を示すという目的で使用される。
【００２６】
本開示の実施例の技術手段をよりよく理解するために、まず、以下の技術的ポイントを紹介する。
【００２７】
１．クロススロットスケジューリング（ｃｒｏｓｓ−ｓｌｏｔ  ｓｃｈｅｄｕｌｉｎｇ）について：
ＮＲ  Ｒ１５規格では、クロススロットスケジューリングをサポートする。クロススロットスケジューリングの原理として、物理下り制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）とＰＤＣＣＨによりスケジュールされる物理下り共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）又は物理上り共有チャネル（Ｐｈｙｓｉｃａｌ  Ｕｐｌｉｎｋ  Ｓｈａｒｅｄ  Ｃｈａｎｎｅｌ：ＰＵＳＣＨ）との間に、Ｎ個のスロット（ｓｌｏｔ）の間隔を置く。ここで、ＰＤＳＣＨではＫ０個のスロットを設定可能であり、ＰＵＳＣＨではＫ２個のスロットを設定可能であり、且つＫ０とＫ２は、基地局によって設定されたものであり、下り制御情報（Ｄｏｗｎｌｉｎｋ  Ｃｏｎｔｒｏｌ  Ｉｎｆｏｒｍａｔｉｏｎ：ＤＣＩ）によって指示される。ここで、Ｋ０は、ＰＤＣＣＨとＰＤＣＣＨによりスケジュールされるＰＤＳＣＨとの間の時間間隔を示し、Ｋ２は、ＰＤＣＣＨとＰＤＣＣＨによりスケジュールされるＰＵＳＣＨとの間の時間間隔を示す。
【００２８】
ＰＤＳＣＨによるクロススロットスケジューリングの利点として、ユーザ機器ＵＥは、事前にＰＤＳＣＨデータをバッファリングする必要がなく、ＰＤＣＣＨのデコード後にＰＤＣＣＨの指示に応じてＰＤＳＣＨデータを受信し、無線周波数（Ｒａｄｉｏ  Ｆｒｅｑｕｅｎｃｙ、ＲＦ）モジュールとベースバンド（Ｂａｓｅ  Ｂａｎｄ、ＢＢ）モジュールとを選択的に別々にスイッチングし、それにより省電力の効果を取得することができる。
【００２９】
２．ユーザ機器ＵＥのＰＤＳＣＨ処理遅延について：
ＮＲは、異なるＰＤＳＣＨ処理遅延（Ｎ１）を有する２つのユーザ機器ＵＥ能力、即ち、ＰＤＳＣＨ処理能力１及びＰＤＳＣＨ処理能力２をサポートし、それぞれＵＥ  ｐｒｏｃｅｓｓｉｎｇ  ｃａｐａｂｉｌｉｔｙ１及びＵＥ  ｐｒｏｃｅｓｓｉｎｇ  ｃａｐａｂｉｌｉｔｙ２に対応する。ＰＤＳＣＨ処理能力１は、基本的なユーザ機器ＵＥ能力に属するが、ＰＤＳＣＨ処理能力２のユーザ機器ＵＥは、ＰＤＳＣＨ処理遅延がより短い。
【００３０】
３．ユーザ機器ＵＥのＰＵＳＣＨ準備遅延について：
ＮＲは、異なるＰＵＳＣＨ準備遅延（Ｎ２）を有する２つのユーザ機器ＵＥ能力、即ち、ＰＵＳＣＨ遅延能力１及びＰＵＳＣＨ遅延能力２をサポートし、それぞれＵＥ  ｐｒｏｃｅｓｓｉｎｇ  ｃａｐａｂｉｌｉｔｙ１及びＵＥ  ｐｒｏｃｅｓｓｉｎｇ  ｃａｐａｂｉｌｉｔｙ２に対応する。ＰＵＳＣＨ遅延能力１は、基本的なユーザ機器ＵＥ能力に属するが、ＰＵＳＣＨ遅延能力２のユーザ機器ＵＥは、ＰＵＳＣＨ準備遅延がより短い。
【００３１】
以下、本開示の実施例について図面を参照して紹介する。本開示の実施例に係る設定方法及び機器は、無線通信システムに応用可能である。該無線通信システムは、５Ｇシステム、進化型ロングタームエボリューションｅＬＴＥ（Ｅｖｏｌｖｅｄ  Ｌｏｎｇ  Ｔｅｒｍ  Ｅｖｏｌｕｔｉｏｎ）システム、又はその後の進化型通信システムである。図１は、本開示の実施例に係る無線通信システムのアーキテクチャ概略図である。図１に示すように、該無線通信システムは、ネットワーク側機器１０と、ネットワーク側機器１０と通信（シグナリング又はデータの伝送）可能な端末機器（ユーザ機器ＵＥ１１とする）とを含む。実際のアプリケーションでは、上記各機器間の接続は、無線接続でもよいが、各機器間の接続関係を直感的に示す便宜上、図１では実線で示している。
【００３２】
なお、上記通信システムは、複数のユーザ機器ＵＥ１１を含んでもよく、ネットワーク側機器１０は、複数のユーザ機器ＵＥ１１と通信することができる。
【００３３】
本開示の実施例に係るネットワーク側機器１０は、基地局である。該基地局は、通常使用される基地局であってもよく、進化型基地局（ｅｖｏｌｖｅｄ  ｎｏｄｅ  ｂａｓｅ  ｓｔａｔｉｏｎ：ｅＮＢ）であってもよく、更に、５Ｇシステムにおけるネットワーク側機器（例えば、次世代基地局（ｎｅｘｔ  ｇｅｎｅｒａｔｉｏｎ  ｎｏｄｅ  ｂａｓｅ  ｓｔａｔｉｏｎ：ｇＮＢ）又は送受信ポイント（ｔｒａｎｓｍｉｓｓｉｏｎ  ａｎｄ  ｒｅｃｅｐｔｉｏｎ  ｐｏｉｎｔ：ＴＲＰ））などの機器であってもよい。
【００３４】
本開示の実施例に係る端末機器は、携帯電話、タブレットパソコン、ノートパソコン、ウルトラモバイルパーソナルコンピュータ（Ｕｌｔｒａ−Ｍｏｂｉｌｅ  Ｐｅｒｓｏｎａｌ  Ｃｏｍｐｕｔｅｒ：ＵＭＰＣ）、ネットブック又はパーソナルデジタルアシスタント（Ｐｅｒｓｏｎａｌ  Ｄｉｇｉｔａｌ  Ａｓｓｉｓｔａｎｔ：ＰＤＡ）などである。
【００３５】
図２を参照し、本開示の実施例は、設定方法を提供する。該方法は、実行エンティティが端末機器であり、例えばユーザ機器ＵＥであり、具体的なステップとしてステップ２０１、ステップ２０２及びステップ２０３を含む。
【００３６】
ステップ２０１において、端末機器の省電力モード又は省電力レベルを明示的又は暗黙的に指示する第１メッセージをネットワーク側機器に送信する。
【００３７】
任意選択で、ステップ２０１において、端末機器は、該端末機器の消費電力情報に基づいて、第１メッセージをネットワーク側機器に送信する。ここで、該端末機器の消費電力情報は、該端末機器の省電力のニーズを示すために使用される。例えば、該端末機器の消費電力情報は、該端末機器の余剰電力量、又は、該端末機器が過熱しているか否か、又は、該端末機器のセンサが測定した温度等の情報である。
【００３８】
任意選択で、省電力モード（ｐｏｗｅｒ  ｓａｖｉｎｇ  ｍｏｄｅ）は、省電力モード１、省電力モード２、省電力モード３、省電力モード４、・・・などを含む。ここで、各省電力モードに対応するパラメータとそのパラメータの値は、同じであってもよいし、異なっていてもよい。なお、本開示の実施例において、省電力モードに対応するパラメータ及びそのパラメータの値は、特に限定されない。
【００３９】
任意選択で、省電力レベル（ｐｏｗｅｒ  ｓａｖｉｎｇ  ｌｅｖｅｌ）は、省電力レベル１、省電力レベル２、省電力レベル３、省電力レベル４、・・・などを含む。ここで、各省電力レベルに対応するパラメータとそのパラメータの値は、同じであってもよいし、異なっていてもよい。なお、本開示の実施例において、省電力レベルに対応するパラメータ及びそのパラメータの値は、特に限定されない。
【００４０】
任意選択で、第１メッセージは、端末機器の消費電力情報、例えば該端末機器の余剰電力量、又は、該端末機器が過熱しているか否か、又は、該端末機器のセンサが測定した温度等の情報を含む。
【００４１】
ステップ２０２において、ネットワーク側機器から第１メッセージの第１フィードバック情報を受信する。
【００４２】
任意選択で、第１フィードバック情報は、第１メッセージに対する肯定応答（Ａｃｋｎｏｗｌｅｄｇｅｍｅｎｔ：ＡＣＫ）又は否定応答（Ｎｅｇａｔｉｖｅ  Ａｃｋｎｏｗｌｅｄｇｍｅｎｔ：ＮＡＣＫ）、ネットワーク側機器が端末機器に対して設定した省電力モード又は省電力レベルの識別子、及び、端末機器の消費電力に関する第２パラメータであって、ネットワーク側機器が端末機器に対して設定した１つ又は複数の第２パラメータ及び各第２パラメータの値のうちの１つ又は複数を含む。
【００４３】
なお、第１フィードバック情報によりフィードバックされるネットワーク側機器が端末機器に対して設定した省電力モード又は省電力レベルは、第１メッセージにより明示的又は暗黙的に指示される端末機器の省電力モード又は省電力レベルと同じであってもよいし、異なっていてもよい。例えば、第１メッセージは、端末機器が必要とする省電力モード又は省電力レベルが省電力モード１又は省電力レベル１であることを明示的又は暗黙的に指示するが、第１フィードバック情報によりフィードバックされるネットワーク側機器が端末機器に対して設定した省電力モード又は省電力レベルは、省電力モード２又は省電力レベル２であり、省電力モード２又は省電力レベル２は、より端末機器の省電力ニーズに合致し、端末機器の省電力化に寄与する。
【００４４】
ステップ２０３において、第１フィードバック情報に基づいて、端末機器の消費電力に関する１つ又は複数の第１パラメータの値を設定する。
【００４５】
なお、第１パラメータは、端末機器の消費電力を制御するための省電力関連パラメータを意味してもよく、ここでは特に限定されない。
【００４６】
本開示の実施例において、第１メッセージは、任意選択で、以下の任意のフォーマットであってもよい。
【００４７】
１）第１メッセージは、第１フィールドを含む。第１フィールドの値は、１つ又は複数の第３パラメータの値に対応する。該第３パラメータは、端末機器の消費電力を制御するための関連パラメータである。即ち、第３パラメータは、端末機器の消費電力に関する。第３パラメータに関する記載は、第１パラメータの記載を参照されたく、ここでは繰り返して述べない。
【００４８】
例えば、第１メッセージは、２ビット（ｂｉｔ）であり、表２のように示されている。
【００４９】
【表２】
2021524711.tif 000003
【００５０】
表２の第３パラメータは、パラメータＡ、パラメータＢ、パラメータＣ、並びにパラメータＡ、パラメータＢ及びパラメータＣの値を含む。ここで、パラメータＡ、パラメータＢ及びパラメータＣは、端末機器の消費電力に関する。
【００５１】
任意選択で、第３パラメータ及び第３パラメータの値は、ネットワーク側機器によって設定されるか、プロトコルで取り決められる。
【００５２】
２）第１メッセージは、第２フィールドを含む。第２フィールドの値は、１つの省電力モード又は省電力レベルの１つ又は複数の第４パラメータの値に対応する。任意選択で、第４パラメータ及び第４パラメータの値は、ネットワーク側機器によって設定されるか、プロトコルで取り決められる。第４パラメータに関する記載は、第１パラメータの記載を参照されたく、ここでは繰り返して述べない。
【００５３】
例えば、第１メッセージは、２ビットであり、表３のように示される。
【００５４】
【表３】
2021524711.tif 000004
【００５５】
表３には、４種類の省電力モード又は省電力レベルが示されているが、もちろんこれに限られるものではない。第４パラメータは、パラメータＡ、パラメータＢ、パラメータＣ、並びにパラメータＡ、パラメータＢ、及びパラメータＣの値を含む。
【００５６】
なお、各省電力モード又は省電力レベルに対応するパラメータの値は、同じであってもよいし、異なっていてもよい。例えば、表３の省電力モード（又は省電力レベル）３のパラメータＡの値と省電力モード（又は省電力レベル）４のパラメータＡの値とは同じであり、省電力モード（又は省電力レベル）２のパラメータＢの値と省電力モード（又は省電力レベル）３及び省電力レベル（又は省電力レベル）４のパラメータＢの値とは同じである。
【００５７】
３）第１メッセージは、第３フィールドを含む。前記第３フィールドは、１つ又は複数の第１ビット列を含む。各第１ビット列の値は、第５パラメータの値に対応する。該第５パラメータは、端末機器の消費電力に関する。第５パラメータに関する記載は、第１パラメータの記載を参照されたく、ここでは繰り返して述べない。
【００５８】
例えば、第１メッセージは、以下のフィールドを含む。該フィールドは、計１２ビット（４ビット＋５ビット＋３ビット）であり、表４のように示される。
【００５９】
【表４】
2021524711.tif 000005
【００６０】
任意選択で、第５パラメータ及び第５パラメータの値は、ネットワーク側機器によって設定されるか、プロトコルで取り決められる。
【００６１】
なお、第１パラメータ、第２パラメータ、第３パラメータ、第４パラメータ及び第５パラメータは、同じであってもよいし、異なっていてもよい。
【００６２】
任意選択で、第１パラメータ、第２パラメータ、第３パラメータ、第４パラメータ又は第５パラメータは、以下のうちの少なくとも１つを含む。
端末機器の送信アンテナ又は送信チャネルの数；
端末機器の受信アンテナ又は受信チャネルの数；
同時に活性化される上りコンポーネントキャリア（Ｃｏｍｐｏｎｅｎｔ  Ｃａｒｒｉｅｒ：ＣＣ）の数；
同時に活性化される下りコンポーネントキャリアの数；
物理下り制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）と該ＰＤＣＣＨによりスケジューリングされる物理下り共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）との間の時間間隔、例えば、パラメータＫ０；
ＰＤＳＣＨと対応する肯定応答ＮＡＣＫ又は否定応答ＮＡＣＫとの間の時間間隔、例えば、パラメータＫ１；
ＰＤＣＣＨと該ＰＤＣＣＨによりスケジューリングされる物理上り共有チャネル（Ｐｈｙｓｉｃａｌ  Ｕｐｌｉｎｋ  Ｓｈａｒｅｄ  Ｃｈａｎｎｅｌ：ＰＵＳＣＨ）との間の時間間隔、例えば、パラメータＫ２；
ＰＤＳＣＨ処理遅延、例えば、パラメータＮ１；
ＰＵＳＣＨ準備遅延、例えば、パラメータＮ２；
下り多入力多出力（Ｍｕｌｔｉｐｌｅ−Ｉｎｐｕｔ  Ｍｕｌｔｉｐｌｅ−Ｏｕｔｐｕｔ：ＭＩＭＯ）レイヤ（ｌａｙｅｒ）数；
上りＭＩＭＯレイヤ数；
ＰＤＣＣＨ傍受（ｍｏｎｉｔｏｒｉｎｇ）周期；
ＰＤＣＣＨ傍受オフセット（ｏｆｆｓｅｔ）；
ＰＤＣＣＨ傍受期間（ｄｕｒａｔｉｏｎ）；
不連続受信（Ｄｉｓｃｏｎｔｉｎｕｏｕｓ  Ｒｅｃｅｐｔｉｏｎ：ＤＲＸ）周期（任意選択で、第１パラメータ、第２パラメータ、第３パラメータ、第４パラメータ又は第５パラメータは、持続時間タイマｏｎＤｕｒａｔｉｏｎＴｉｍｅｒパラメータ、非活性化タイマＩｎａｃｔｉｖｉｔｙＴｉｍｅｒパラメータ、長周期関連パラメータ、短周期関連パラメータ及び再送関連パラメータなどの他のＤＲＸ関連パラメータを含んでもよい）；
帯域幅部分（Ｂａｎｄ  Ｗｉｄｔｈ  Ｐａｒｔ：ＢＷＰ）の帯域幅；
ＢＷＰの識別子（Ｉｄｅｎｔｉｔｙ：ＩＤ）；
デュアル接続（Ｄｕａｌ  Ｃｏｎｎｅｃｔｉｖｉｔｙ：ＤＣ）；
非デュアル接続（ｎｏｎ−ＤＣ）；
最大上り伝送レート；
最大下り伝送レート；
前記端末機器が同時に処理するチャネル状態情報（Ｃｈａｎｎｅｌ  Ｓｔａｔｅ  Ｉｎｆｏｒｍａｔｉｏｎ：ＣＳＩ）報告（ｒｅｐｏｒｔ）の数（ここで、ＣＳＩ報告は、チャネル品質指示（Ｃｈａｎｎｅｌ  Ｑｕａｌｉｔｙ  Ｉｎｄｉｃａｔｏｒ：ＣＱＩ）、プリコーディングマトリクス指示（ｐｒｅｃｏｄｉｎｇ  ｍａｔｒｉｘ  ｉｎｄｉｃａｔｏｒ：ＰＭＩ）、チャネル状態情報参照信号リソース指示（ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）  ｒｅｓｏｕｒｃｅ  ｉｎｄｉｃａｔｏｒ：ＣＲＩ）、同期信号／物理ブロードキャストチャネルブロックリソース指示（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ  Ｒｅｓｏｕｒｃｅ  Ｉｎｄｉｃａｔｏｒ：ＳＳＢＲＩ）、レイヤ指示（Ｌａｙｅｒ  Ｉｎｄｉｃａｔｏｒ：ＬＩ）、ランク指示（Ｒａｎｋ  Ｉｎｄｉｃａｔｏｒ：ＲＩ）及び／又はレイヤ１参照信号受信電力（Ｌａｙｅｒ１  Ｒｅｆｅｒｅｎｃｅ  Ｓｉｇｎａｌ  Ｒｅｃｅｉｖｉｎｇ  Ｐｏｗｅｒ：Ｌ１−ＲＳＲＰ）などを含む）；
前記端末機器が同時に処理するビーム管理報告（ｂｅａｍ  ｍａｎａｇｅｍｅｎｔ  ｒｅｐｏｒｔ）の数（ここで、ビーム管理報告は、ＣＲＩ、ＲＳＲＰ及び／又はＳＳＢＲＩなどを含む）；
前記端末機器が同時に受信又は処理する測定リソースの数（ここで、測定リソースは、ＣＳＩ−ＲＳリソース、同期信号／物理ブロードキャストチャネルブロック（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ：ＳＳＢ）リソース、ＣＳＩ−ＲＳリソースとＳＳＢリソースのうちの少なくとも１つである）；
ＣＳＩ報告（ＣＳＩ  ｒｅｐｏｒｔ）に関する遅延（該遅延は、チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ：ＣＳＩ−ＲＳ）報告をトリガするシグナリングを端末機器が受信する時刻から、対応するＣＳＩ報告が存在する時刻までの遅延、及び、ＣＳＩ−ＲＳを端末機器が測定する時刻から、対応するＣＳＩ報告が存在する時刻までの遅延の少なくとも１つを含む）；及び、
ビーム管理報告（ｂｅａｍ  ｍａｎａｇｅｍｅｎｔ  ｒｅｐｏｒｔ）に関する遅延（該遅延は、ビーム管理報告をトリガするシグナリングを端末機器が受信する時刻から、対応するビーム管理報告が存在する時刻までの遅延、及び、ＣＳＩ−ＲＳを端末機器が測定する時刻から、対応するビーム管理報告が存在する時刻までの遅延の少なくとも１つを含む）。
【００６３】
本開示の実施例において、ネットワーク側機器は、異なる省電力モード又は省電力レベルを端末機器に対し設定するだけでよく、端末機器は、設定された省電力モード又は省電力レベルに基づいて、その省電力モード又は省電力レベルに対応するパラメータとそのパラメータの値を決定することができるので、設定プロセスにおけるシグナリング伝送のオーバーヘッドを節約でき、処理遅延を低減することができる。また、端末機器は、その端末機器の消費電力情報に基づいてネットワーク側機器に省電力モード又は省電力レベルを報告することもでき、端末機器の省電力化に寄与する。
【００６４】
図３を参照し、本開示の実施例は、設定方法を更に提供する。該方法は、実行エンティティがネットワーク側機器、例えば基地局であり、具体的なステップとして、ステップ３０１において、端末機器から、前記端末機器の省電力モード又は省電力レベルを明示的又は暗黙的に指示する第１メッセージを受信し、ステップ３０２において、端末機器に第１メッセージの第１フィードバック情報を送信する。それによって、端末機器が、第１フィードバック情報に基づいて、端末機器の消費電力に関する１つ又は複数の第１パラメータの値を設定する。
【００６５】
なお、図３に示す実施例における第１メッセージ、第１フィードバック情報、第１パラメータ、第２パラメータ、第３パラメータ、第４パラメータ及び第５パラメータの記載は、図２に示す実施例における第１メッセージ、第１フィードバック情報、第１パラメータ、第２パラメータ、第３パラメータ、第４パラメータ及び第５パラメータの記載と同じであり、ここでは繰り返して述べない。
【００６６】
本開示の実施例において、ネットワーク側機器は、端末機器から報告された省電力モード又は省電力レベルに基づいて、異なる省電力モード又は省電力レベルを端末機器に対し設定することができ、端末機器は、設定された省電力モード又は省電力レベルに基づいて、該省電力モード又は省電力レベルに対応するパラメータとそのパラメータの値を決定することができ、設定プロセスにおけるシグナリング伝送のオーバーヘッドを節約し、遅延を低減し、端末機器の省電力化に寄与する。
【００６７】
図４を参照し、本開示の実施例は、更に設定方法を提供する。該方法は、実行エンティティが端末機器、例えばユーザ機器ＵＥであり、具体的なステップとして、ステップ４０１とステップ４０２を含む。
【００６８】
ステップ４０１において、ネットワーク側機器から、端末機器の省電力モード又は省電力レベルの設定情報を受信する。
【００６９】
なお、該設定情報は、端末機器の省電力モード又は省電力レベルを明示的又は暗黙的に指示する。
【００７０】
任意選択で、端末機器は、無線リソース制御（Ｒａｄｉｏ  Ｒｅｓｏｕｒｃｅ  Ｃｏｎｔｒｏｌ：ＲＲＣ）シグナリング、メディアアクセス制御（Ｍｅｄｉａ  Ａｃｃｅｓｓ  Ｃｏｎｔｒｏｌ：ＭＡＣ）シグナリング又はＰＤＣＣＨシグナリングによって、ネットワーク側機器が端末機器に対し設定した省電力モード又は省電力レベルの設定情報を受信する。なお、本開示の実施例において、設定情報の報告方式は特に限定されないことは言うまでもない。
【００７１】
任意選択で、ステップ４０１における省電力モードの設定情報は、省電力モード１、省電力モード２、省電力モード３、省電力モード４・・・などのいずれかの省電力モードのＩＤ又は他の情報である。なお、各省電力モードに対応するパラメータ及びそのパラメータの値は、同じであってもよいし、異なっていてもよい。本開示の実施例において、省電力モードに対応するパラメータ及びそのパラメータの値は、特に限定されない。
【００７２】
任意選択で、ステップ４０１における省電力レベルの設定情報は、省電力レベル１、省電力レベル２、省電力レベル３、省電力レベル４・・・などのいずれかの省電力レベルのＩＤ又は他の情報である。なお、各省電力レベルに対応するパラメータ及びそのパラメータの値は、同じであってもよいし、異なっていてもよい。本開示の実施例において、省電力レベルに対応するパラメータ及びパラメータの値は、特に限定されない。
【００７３】
ステップ４０２において、設定情報に基づいて、端末機器の省電力モード又は省電力レベルに対応する１つ又は複数の第６パラメータの値を設定する。
【００７４】
任意選択で、設定情報は、第４フィールドを含む。前記第４フィールドの値は、１つ又は複数の第７パラメータの値に対応する。ここで、該第７パラメータは、端末機器の消費電力に関する。
【００７５】
例えば、設定情報は、２ビット（ｂｉｔ）であり、表５のように示されている。
【００７６】
【表５】
2021524711.tif 000006
【００７７】
表５の第７パラメータは、パラメータＡ、パラメータＢ、パラメータＣ並びにパラメータＡ、パラメータＢ及びパラメータＣの値を含む。ここで、パラメータＡ、パラメータＢ、パラメータＣは、端末機器の消費電力に関する。なお、第７パラメータ及び第７パラメータの値は、ネットワーク側機器によって設定されるか、プロトコルで取り決められる。
【００７８】
任意選択で、設定情報は、第５フィールドを含む。第５フィールドの値は、１つの省電力モード又は省電力レベルの１つ又は複数の第８パラメータの値に対応する。
【００７９】
例えば、設定情報は、２ビットであり、表６のように示される。
【００８０】
【表６】
2021524711.tif 000007
【００８１】
表６には、４種類の省電力モード又は省電力レベルが示されているが、もちろんこれに限られるものではない。第８パラメータは、パラメータＡ、パラメータＢ、パラメータＣ、並びにパラメータＡ、パラメータＢ、及びパラメータＣの値を含む。任意選択で、第８パラメータ及び第８パラメータの値は、ネットワーク側機器によって設定されるか、プロトコルで取り決められる。
【００８２】
なお、各省電力モード又は省電力レベルに対応するパラメータの値は、同じであってもよいし、異なっていてもよい。例えば、表６の省電力モード（又は省電力レベル）３のパラメータＡの値と省電力モード（又は省電力レベル）４のパラメータＡの値とは同じであり、省電力モード（又は省電力レベル）２のパラメータＢの値と省電力モード（又は省電力レベル）３及び省電力レベル（又は省電力レベル）４のパラメータＢの値とは同じである。
【００８３】
任意選択で、設定情報は、第６フィールドを含む。前記第６フィールドは、１つ又は複数の第２ビット列を含む。各第２ビット列の値は、第９パラメータの値に対応する。該第９パラメータは、端末機器の消費電力に関する。任意選択で、第９パラメータ及び第９パラメータの値は、ネットワーク側機器によって設定されるか、プロトコルで取り決められる。
【００８４】
例えば、設定情報は、以下のフィールドを含み、該フィールドは、計１２ビット（４ビット＋５ビット＋３ビット）であり、表７のように示される。
【００８５】
【表７】
2021524711.tif 000008
【００８６】
なお、第６パラメータ、第７パラメータ、第８パラメータ及び第９パラメータは、同じであってもよいし、異なっていてもよい。
【００８７】
任意選択で、第６パラメータ、第７パラメータ、第８パラメータ又は第９パラメータは、以下のうちの少なくとも１つを含む。
端末機器の送信アンテナ又は送信チャネルの数；
端末機器の受信アンテナ又は受信チャネルの数；
同時に活性化される上りコンポーネントキャリア（Ｃｏｍｐｏｎｅｎｔ  Ｃａｒｒｉｅｒ：ＣＣ）の数；
同時に活性化される下りコンポーネントキャリアの数；
物理下り制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）と該ＰＤＣＣＨによりスケジューリングされる物理下り共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）との間の時間間隔、例えば、パラメータＫ０；
ＰＤＳＣＨと対応する肯定応答ＮＡＣＫ又は否定応答ＮＡＣＫとの間の時間間隔、例えば、パラメータＫ１；
ＰＤＣＣＨと該ＰＤＣＣＨによりスケジューリングされる物理上り共有チャネル（Ｐｈｙｓｉｃａｌ  Ｕｐｌｉｎｋ  Ｓｈａｒｅｄ  Ｃｈａｎｎｅｌ：ＰＵＳＣＨ）との間の時間間隔、例えば、パラメータＫ２；
ＰＤＳＣＨ処理遅延、例えば、パラメータＮ１；
ＰＵＳＣＨ準備遅延、例えば、パラメータＮ２；
下り多入力多出力（Ｍｕｌｔｉｐｌｅ−Ｉｎｐｕｔ  Ｍｕｌｔｉｐｌｅ−Ｏｕｔｐｕｔ：ＭＩＭＯ）レイヤ（ｌａｙｅｒ）数；
上りＭＩＭＯレイヤ数；
ＰＤＣＣＨ傍受（ｍｏｎｉｔｏｒｉｎｇ）周期；
ＰＤＣＣＨ傍受オフセット（ｏｆｆｓｅｔ）；
ＰＤＣＣＨ傍受期間（ｄｕｒａｔｉｏｎ）；
不連続受信（Ｄｉｓｃｏｎｔｉｎｕｏｕｓ  Ｒｅｃｅｐｔｉｏｎ：ＤＲＸ）周期（任意選択で、第１パラメータ、第２パラメータ、第３パラメータ、第４パラメータ又は第５パラメータは、持続時間タイマｏｎＤｕｒａｔｉｏｎＴｉｍｅｒパラメータ、非活性化タイマＩｎａｃｔｉｖｉｔｙＴｉｍｅｒパラメータ、長周期関連パラメータ、短周期関連パラメータ及び再送関連パラメータなどの他のＤＲＸ関連パラメータを含んでもよい）；
帯域幅部分（Ｂａｎｄ  Ｗｉｄｔｈ  Ｐａｒｔ：ＢＷＰ）の帯域幅；
ＢＷＰの識別子（Ｉｄｅｎｔｉｔｙ：ＩＤ）；
デュアル接続（Ｄｕａｌ  Ｃｏｎｎｅｃｔｉｖｉｔｙ：ＤＣ）；
非デュアル接続（ｎｏｎ−ＤＣ）；
最大上り伝送レート；
最大下り伝送レート；
端末機器が同時に処理するチャネル状態情報（Ｃｈａｎｎｅｌ  Ｓｔａｔｅ  Ｉｎｆｏｒｍａｔｉｏｎ：ＣＳＩ）報告（ｒｅｐｏｒｔ）の数（ここで、ＣＳＩ報告は、チャネル品質指示（Ｃｈａｎｎｅｌ  Ｑｕａｌｉｔｙ  Ｉｎｄｉｃａｔｏｒ：ＣＱＩ）、プリコーディングマトリクス指示（ｐｒｅｃｏｄｉｎｇ  ｍａｔｒｉｘ  ｉｎｄｉｃａｔｏｒ）、チャネル状態情報参照信号リソース指示（ＣＳＩ−ＲＳ  ｒｅｓｏｕｒｃｅ  ｉｎｄｉｃａｔｏｒ：ＣＲＩ）、同期信号／物理ブロードキャストチャネルブロックリソース指示（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ  Ｒｅｓｏｕｒｃｅ  Ｉｎｄｉｃａｔｏｒ：ＳＳＢＲＩ）、レイヤ指示（Ｌａｙｅｒ  Ｉｎｄｉｃａｔｏｒ：ＬＩ）、ランク指示（Ｒａｎｋ  Ｉｎｄｉｃａｔｏｒ：ＲＩ）及び／又はレイヤ１参照信号受信電力（Ｌａｙｅｒ１  Ｒｅｆｅｒｅｎｃｅ  Ｓｉｇｎａｌ  Ｒｅｃｅｉｖｉｎｇ  Ｐｏｗｅｒ：Ｌ１−ＲＳＲＰ）などを含む）；
端末機器が同時に処理するビーム管理報告（ｂｅａｍ  ｍａｎａｇｅｍｅｎｔ  ｒｅｐｏｒｔ）の数（ここで、ビーム管理報告は、ＣＲＩ、ＲＳＲＰ及び／又はＳＳＢＲＩなどを含む）；
端末機器が同時に受信又は処理する測定リソースの数（ここで、測定リソースは、ＣＳＩ−ＲＳリソース、ＳＳＢリソース、ＣＳＩ−ＲＳリソースとＳＳＢリソースのうちの少なくとも１つである）；
ＣＳＩ報告（ＣＳＩ  ｒｅｐｏｒｔ）に関する遅延（該遅延は、チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ：ＣＳＩ−ＲＳ）報告をトリガするシグナリングを前記端末機器が受信する時刻から、対応するＣＳＩ報告が存在する時刻までの遅延、及び、ＣＳＩ−ＲＳを前記端末機器が測定する時刻から、対応するＣＳＩ報告が存在する時刻までの遅延の少なくとも１つを含む）；及び、
ビーム管理報告（ｂｅａｍ  ｍａｎａｇｅｍｅｎｔ  ｒｅｐｏｒｔ）に関する遅延（該遅延は、ビーム管理報告をトリガするシグナリングを端末機器が受信する時刻から、対応するビーム管理報告が存在する時刻までの遅延、及び、ＣＳＩ−ＲＳを前記端末機器が測定する時刻から、対応するビーム管理報告が存在する時刻までの遅延の少なくとも１つを含む）。
【００８８】
本開示の実施例において、ネットワーク側機器は、異なる省電力モード又は省電力レベルを端末機器に対し設定するだけでよく、端末機器は、設定された省電力モード又は省電力レベルに基づいて、その省電力モード又は省電力レベルに対応するパラメータとそのパラメータの値を決定することができるので、設定プロセスにおけるシグナリング伝送のオーバーヘッドを節約でき、処理遅延を低減することができる。
【００８９】
図５を参照し、本開示の実施例は、設定方法を更に提供する。該方法は、実行エンティティがネットワーク側機器であり、具体的なステップとして、ステップ５０１において、端末機器の省電力モード（ｐｏｗｅｒ  ｓａｖｉｎｇ  ｍｏｄｅ）又は省電力レベル（ｐｏｗｅｒ  ｓａｖｉｎｇ  ｌｅｖｅｌ）の設定情報を端末機器に送信し、それによって、端末機器が、設定情報に基づいて、端末機器の省電力モード又は省電力レベルの１つ又は複数の第６パラメータの値を設定する。
【００９０】
なお、図５に示す実施例における省電力モード又は省電力レベルの設定情報は、図４に示す実施例における省電力モード又は省電力レベルの設定情報を参照されたく、ここでは繰り返して述べない。
【００９１】
任意選択で、ネットワーク側機器は、端末機器の省電力モード又は省電力レベルの設定情報を、ＲＲＣシグナリング、ＭＡＣシグナリング又はＰＤＣＣＨシグナリングによって前記端末機器に送信する。もちろん、本開示の実施例において、設定情報の配信方式は、特に限定されない。
【００９２】
なお、図５に示す実施例における第６パラメータ、第７パラメータ、第８パラメータ及び第９パラメータは、図４に示す実施例における第６パラメータ、第７パラメータ、第８パラメータ及び第９パラメータを参照されたく、ここでは繰り返して述べない。
【００９３】
本開示の実施例において、ネットワーク側機器は、端末機器に対し異なる省電力モード又は省電力レベルを設定するだけでよく、端末機器は、設定された省電力モード又は省電力レベルに基づいて、その省電力モード又は省電力レベルに対応するパラメータとそのパラメータの値を決定することができるので、設定プロセスにおけるシグナリング伝送のオーバーヘッドを節約し、遅延を低減することができる。
【００９４】
図６を参照し、本開示の実施例は、設定方法を更に提供する。該方法は、実行エンティティが端末機器、例えばユーザ機器ＵＥであり、具体的なステップとして、ステップ６０１、ステップ６０２及びステップ６０３を含む。
【００９５】
ステップ６０１において、第２メッセージをネットワーク側機器に送信する。第２メッセージは、１つ又は複数の第１０パラメータを含む。第１０パラメータは、端末機器が同時に処理するＣＳＩ報告（ＣＳＩ  ｒｅｐｏｒｔ）の数、端末機器が同時に処理するビーム管理報告（ｂｅａｍ  ｍａｎａｇｅｍｅｎｔ  ｒｅｐｏｒｔ）の数、端末機器が同時に受信又は処理する測定リソースの数、ＣＳＩ報告（ＣＳＩ  ｒｅｐｏｒｔ）に関する遅延、ビーム管理報告（ｂｅａｍ  ｍａｎａｇｅｍｅｎｔ  ｒｅｐｏｒｔ）に関する遅延のうちの少なくとも１つを含む。
【００９６】
ステップ６０２において、ネットワーク側機器から第２メッセージの第２フィードバック情報を受信する。
【００９７】
ここで、ＣＳＩ報告は、チャネル品質指示（Ｃｈａｎｎｅｌ  Ｑｕａｌｉｔｙ  Ｉｎｄｉｃａｔｏｒ：ＣＱＩ）、プリコーディングマトリクス指示（ｐｒｅｃｏｄｉｎｇ  ｍａｔｒｉｘ  ｉｎｄｉｃａｔｏｒ：ＰＭＩ）、チャネル状態情報参照信号リソース指示（ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）  ｒｅｓｏｕｒｃｅ  ｉｎｄｉｃａｔｏｒ：ＣＲＩ）、同期信号／物理ブロードキャストチャネルブロックリソース指示（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ  Ｒｅｓｏｕｒｃｅ  Ｉｎｄｉｃａｔｏｒ：ＳＳＢＲＩ）、レイヤ指示（Ｌａｙｅｒ  Ｉｎｄｉｃａｔｏｒ：ＬＩ）、ランク指示（Ｒａｎｋ  Ｉｎｄｉｃａｔｏｒ：ＲＩ）及び／又はレイヤ１参照信号受信電力（Ｌａｙｅｒ１  Ｒｅｆｅｒｅｎｃｅ  Ｓｉｇｎａｌ  Ｒｅｃｅｉｖｉｎｇ  Ｐｏｗｅｒ：Ｌ１−ＲＳＲＰ）などを含む。
【００９８】
ここで、ビーム管理報告は、ＣＲＩ、ＲＳＲＰ及び／又はＳＳＢＲＩなどを含む。
【００９９】
任意選択で、ＣＳＩ報告に関する遅延は、チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ：ＣＳＩ−ＲＳ）報告をトリガするシグナリングを端末機器が受信する時刻から、対応するＣＳＩ報告が存在する時刻までの遅延、及び、ＣＳＩ−ＲＳを端末機器が測定する時刻から、対応するＣＳＩ報告が存在する時刻までの遅延の少なくとも１つを含む。
【０１００】
任意選択で、ビーム管理報告に関する遅延は、ビーム管理報告をトリガするシグナリングを端末機器が受信する時刻から、対応するビーム管理報告が存在する時刻までの遅延、及び、ＣＳＩ−ＲＳを端末機器が測定する時刻から、対応するビーム管理報告が存在する時刻までの遅延の少なくとも１つを含む。
【０１０１】
任意選択で、第２フィードバック情報は、第２メッセージの肯定応答ＮＡＣＫ又は否定応答ＮＡＣＫ、及び、前記ネットワーク側機器が前記端末機器に対して設定した少なくとも１つの第１０パラメータの値のうちの少なくとも１つを含む。
【０１０２】
ステップ６０３において、第２フィードバック情報に基づいて第１０パラメータの値を設定し、又は、第２フィードバック情報に基づいて信号処理を行う。
【０１０３】
本開示の実施例において、端末機器は、端末機器の省電力モード又は省電力レベルに対応する１つ又は複数の第１０パラメータを直接ネットワーク側機器に報告し、それから、ネットワーク側機器からの第２フィードバック情報に基づいて端末機器の第１０パラメータの値を決定し、又は第２フィードバック情報に基づいて信号処理を行うことによって、関連パラメータの値を一度で知ることができ、従来技術の方法に比べて、シグナリングオーバーヘッドを節約し、処理遅延を低減することができる。
【０１０４】
図７を参照し、本開示の実施例は、設定方法を更に提供する。該方法は、実行エンティティがネットワーク側機器、例えば基地局であり、具体的なステップとして、ステップ７０１において、端末機器が同時に処理するＣＳＩ報告（ＣＳＩ  ｒｅｐｏｒｔ）の数と、端末機器が同時に処理するビーム管理報告（ｂｅａｍ  ｍａｎａｇｅｍｅｎｔ  ｒｅｐｏｒｔ）の数と、端末機器が同時に受信又は処理する測定リソースの数と、ＣＳＩ報告（ＣＳＩ  ｒｅｐｏｒｔ）に関する遅延と、ビーム管理報告（ｂｅａｍ  ｍａｎａｇｅｍｅｎｔ  ｒｅｐｏｒｔ）に関する遅延のうちの少なくとも１つを含む第１０パラメータを１つ又は複数含む第２メッセージを端末機器から受信し、ステップ７０２において、前記第２メッセージの第２フィードバック情報を端末機器に送信し、それによって、前記端末機器が、第２フィードバック情報に基づいて第１０パラメータの値を設定し、又は前記第２フィードバック情報に基づいて信号処理を行う。
【０１０５】
任意選択で、ＣＳＩ報告に関する遅延は、チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ：ＣＳＩ−ＲＳ）報告をトリガするシグナリングを端末機器が受信する時刻から、対応するＣＳＩ報告が存在する時刻までの遅延、及び、ＣＳＩ−ＲＳを端末機器が測定する時刻から、対応するＣＳＩ報告が存在する時刻までの遅延の少なくとも１つを含む。
【０１０６】
任意選択で、ビーム管理報告に関する遅延は、ビーム管理報告をトリガするシグナリングを端末機器が受信する時刻から、対応するビーム管理報告が存在する時刻までの遅延、及び、ＣＳＩ−ＲＳを端末機器が測定する時刻から、対応するビーム管理報告が存在する時刻までの遅延の少なくとも１つを含む。
【０１０７】
任意選択で、第２フィードバック情報は、第２メッセージの肯定応答ＮＡＣＫ又は否定応答ＮＡＣＫ、及び、前記ネットワーク側機器が前記端末機器に対して設定した少なくとも１つの第１０パラメータの値のうちの少なくとも１つを含む。
【０１０８】
本開示の実施例において、端末機器は、端末機器の省電力モード又は省電力レベルに対応する１つ又は複数の第１０パラメータを直接ネットワーク側機器に報告し、それから、ネットワーク側機器からの第２フィードバック情報に基づいて、端末機器の省電力モード又は省電力レベルに対応する第１０パラメータの値を設定し、又は第２フィードバック情報に基づいて信号処理を行うことによって、関連パラメータの値を一度で知ることができ、従来技術の方法に比べて、シグナリングオーバーヘッドを節約し、処理遅延を低減することができる。
【０１０９】
本開示の実施例をよりよく理解するために、以下、例１〜例３に基づき、端末機器側の流れを紹介する。例１〜例３では、端末機器がユーザ機器ＵＥであり、ネットワーク側機器が基地局である場合を例に挙げている。
【０１１０】
例１：
ステップ１において、ユーザ機器ＵＥは、省電力モード（ｐｏｗｅｒ  ｓａｖｉｎｇ  ｍｏｄｅ）又は省電力レベル（ｐｏｗｅｒ  ｓａｖｉｎｇ  ｌｅｖｅｌ）を報告する。
ステップ２において、ユーザ機器ＵＥは、基地局からフィードバック情報を受信する。フィードバック情報は、ユーザ機器ＵＥから報告された省電力モード又は省電力レベルに対する基地局の肯定応答（ＡＣＫ）又は否定応答（ＮＡＣＫ）であり、又は、基地局により設定された省電力モード又は省電力レベルに対応するパラメータ及びパラメータの値を含む、省電力モード又は省電力レベルのパラメータに対する基地局の設定シグナリングである。
３）ユーザ機器ＵＥは、基地局からのフィードバック情報に基づいて、省電力モード又は省電力レベルのパラメータを設定する。
【０１１１】
例２：
ステップ１において、ユーザ機器ＵＥは、基地局から省電力モード（ｐｏｗｅｒ  ｓａｖｉｎｇ  ｍｏｄｅ）又は省電力レベル（ｐｏｗｅｒ  ｓａｖｉｎｇ  ｌｅｖｅｌ）の配置情報を受信する。
ステップ２において、ユーザ機器ＵＥは、設定情報に基づいて、省電力モード又は省電力レベルのパラメータを設定する。
省電力モード又は省電力レベルについて：
複数種類の省電力モード（ｐｏｗｅｒ  ｓａｖｉｎｇ  ｍｏｄｅ  Ｘ）又は省電力レベル（ｐｏｗｅｒ  ｓａｖｉｎｇ  ｌｅｖｅｌ  Ｘ）（Ｘ＝１，２…Ｎ）のうち、
−ｐｏｗｅｒ  ｓａｖｉｎｇ  ｍｏｄｅ１：パラメータＡは、値ａ１を、パラメータＢは、値ｂ１を、・・・、パラメータＭは、値ｍ１をとる。
−ｐｏｗｅｒ  ｓａｖｉｎｇ  ｍｏｄｅ２：パラメータＡは、値ａ２を、パラメータＢは、値ｂ２を、・・・、パラメータＭは、値ｍ１をとる。
・・・。
なお、基地局は、各省電力モード又は省電力レベルに対応するパラメータリスト及び各パラメータの値を設定し、もちろん、これに限定されない。
任意選択で、省電力モード又は省電力レベルのパラメータは、以下のうちの１つ又は複数を含む。
ユーザ機器ＵＥの送信アンテナ又は送信チャネルの数；
ユーザ機器ＵＥの受信アンテナ又は受信チャネルの数；
同時に活性化される上りＣＣの数；
同時に活性化される下りＣＣの数；
パラメータＫ０／Ｋ１／Ｋ２；
パラメータＮ１／Ｎ２；
ＣＳＩ−ＲＳ設定のユーザ機器ＵＥによる受信からＣＳＩ報告までの遅延／ＣＳＩ−ＲＳのユーザ機器ＵＥによる測定からＣＳＩ報告までの遅延；
下りＭＩＭＯ  ｌａｙｅｒ数；
上りＭＩＭＯ  ｌａｙｅｒ数；
ＰＤＣＣＨ  ｍｏｎｉｔｏｒｉｎｇ周期／ｏｆｆｓｅｔ／ｄｕｒａｔｉｏｎ；
ＢＷＰ帯域幅／ＢＷＰ  ＩＤ；
ＤＣ／ｎｏｎ−ＤＣ；
最大上りレート／最大下りレート；
同時処理のＣＳＩ報告（ＣＳＩ  ｒｅｐｏｒｔ）、ビーム管理報告（ｂｅａｍ  ｍａｎａｇｅｍｅｎｔ  ｒｅｐｏｒｔ）数；
同時に受信又は処理する測定リソースの数；及び
ＣＳＩ報告（ＣＳＩ  ｒｅｐｏｒｔ）に関する遅延又はビーム管理報告（ｂｅａｍ  ｍａｎａｇｅｍｅｎｔ  ｒｅｐｏｒｔ）に関する遅延。
【０１１２】
例３：
ステップ１において、ユーザ機器ＵＥは、以下のうちの１つ又は複数を基地局に報告する。
同時処理のＣＳＩ報告（ＣＳＩ  ｒｅｐｏｒｔ）又はビーム管理報告（ｂｅａｍ  ｍａｎａｇｅｍｅｎｔ  ｒｅｐｏｒｔ）数；
同時に受信又は処理する測定リソースの数；及び
ＣＳＩ報告（ＣＳＩ  ｒｅｐｏｒｔ）に関する遅延又はビーム管理報告（ｂｅａｍ  ｍａｎａｇｅｍｅｎｔ  ｒｅｐｏｒｔ）に関する遅延。
ステップ２において、ユーザ機器ＵＥは、基地局からフィードバック情報を受信する。フィードバック情報は、ユーザ機器ＵＥからの報告内容に対する基地局の肯定応答ＮＡＣＫ／否定応答ＮＡＣＫ、又は、報告されたパラメータの値に対する基地局の設定シグナリングである。
ステップ３において、ユーザ機器ＵＥは、基地局からのフィードバック情報に基づいてパラメータを設定し、又は処理する。
【０１１３】
本開示の実施例は、端末機器を更に提供する。端末機器が問題を解決する原理は、本開示の実施例に係る設定方法と類似しているので、該端末機器の実施は、方法の実施を参照してもよく、繰り返した説明を避ける。
【０１１４】
図８を参照し、本開示の実施例は、端末機器を更に提供する。該端末機器８００は、前記端末機器の省電力モード又は省電力レベルを明示的又は暗黙的に指示する第１メッセージをネットワーク側機器に送信する第１送信モジュール８０１と、前記ネットワーク側機器から前記第１メッセージの第１フィードバック情報を受信する第１受信モジュール８０２と、前記第１フィードバック情報に基づいて、前記端末機器の消費電力に関する１つ又は複数の第１パラメータの値を設定する第１処理モジュール８０３とを含む。
【０１１５】
本開示の実施例において、任意選択で、第１送信モジュール８０１は、更に、前記端末機器の消費電力情報に基づいて、前記第１メッセージを前記ネットワーク側機器に送信する。
【０１１６】
本開示の実施例において、任意選択で、前記第１フィードバック情報は、第１メッセージに対する肯定応答ＮＡＣＫ又は否定応答ＮＡＣＫ、前記ネットワーク側機器が前記端末機器に対して設定した省電力モード又は省電力レベルの識別子、及び、前記端末機器の消費電力に関する第２パラメータであって、前記ネットワーク側機器が前記端末機器に対して設定した１つ又は複数の第２パラメータの値のうちの１つ又は複数を含む。
【０１１７】
本開示の実施例において、任意選択で、前記第１メッセージは、前記端末機器の消費電力に関する１つ又は複数の第３パラメータの値に対応する値をとる第１フィールドを含む。又は、前記第１メッセージは、１つの省電力モード又は省電力レベルの１つ又は複数の第４パラメータの値に対応する値をとる第２フィールドを含む。又は、前記第１メッセージは、１つ又は複数の第１ビット列を含む第３フィールドを含み、各前記第１ビット列の値は、前記端末機器の消費電力に関する第５パラメータの値に対応する。
【０１１８】
本開示の実施例において、任意選択で、前記第３パラメータ及び前記第３パラメータの値は、前記ネットワーク側機器によって設定されるか、プロトコルで取り決められ、又は、前記第４パラメータ及び前記第４パラメータの値は、前記ネットワーク側機器によって設定されるか、プロトコルで取り決められ、又は、前記第５パラメータ及び前記第５パラメータの値は、前記ネットワーク側機器によって設定されるか、プロトコルで取り決められる。
【０１１９】
本開示の実施例において、任意選択で、前記第１パラメータ、第２パラメータ、第３パラメータ、第４パラメータ又は第５パラメータは、前記端末機器の送信アンテナ又は送信チャネルの数と、前記端末機器の受信アンテナ又は受信チャネルの数と、同時に活性化される上りコンポーネントキャリアの数と、同時に活性化される下りコンポーネントキャリアの数と、ＰＤＣＣＨと前記ＰＤＣＣＨによりスケジューリングされるＰＤＳＣＨとの間の時間間隔と、ＰＤＳＣＨと対応する肯定応答ＮＡＣＫ又は否定応答ＮＡＣＫとの間の時間間隔と、ＰＤＣＣＨと前記ＰＤＣＣＨによりスケジューリングされるＰＵＳＣＨとの間の時間間隔と、ＰＤＳＣＨ処理遅延と、ＰＵＳＣＨ準備遅延と、下りＭＩＭＯレイヤ数と、上りＭＩＭＯレイヤ数と、ＰＤＣＣＨ傍受周期と、ＰＤＣＣＨ傍受オフセットと、ＰＤＣＣＨ傍受期間と、ＤＲＸ周期と、ＢＷＰの帯域幅と、ＢＷＰの識別子ＩＤと、ＤＣと、ｎｏｎ−ＤＣと、最大上り伝送レートと、最大下り伝送レートと、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む。
【０１２０】
本開示の実施例に係る端末機器は、上記方法の実施例を実行することができ、その実現原理及び技術効果が類似するので、本実施例において繰り返して述べない。
【０１２１】
本開示の実施例は、ネットワーク側機器を更に提供する。ネットワーク側機器が問題を解決する原理は、本開示の実施例に係る設定方法と類似しているので、該ネットワーク側機器の実施は、方法の実施を参照してもよく、繰り返した説明を避ける。
【０１２２】
図９を参照し、本開示の実施例は、ネットワーク側機器を更に提供する。該ネットワーク側機器９００は、端末機器から、前記端末機器の省電力モード又は省電力レベルを明示的又は暗黙的に指示する第１メッセージを受信する第２受信モジュール９０１と、前記端末機器に第１フィードバック情報に基づいて前記端末機器の消費電力に関する１つ又は複数の第１パラメータの値を設定させるために、前記端末機器に前記第１メッセージの第１フィードバック情報を送信する第２送信モジュール９０２とを含む。
【０１２３】
本開示の実施例において、任意選択で、前記第１フィードバック情報は、第１メッセージに対する肯定応答ＮＡＣＫ又は否定応答ＮＡＣＫ、前記ネットワーク側機器が前記端末機器に対して設定した省電力モード又は省電力レベルの識別子、及び、前記端末機器の消費電力に関する第２パラメータであって、前記ネットワーク側機器が前記端末機器に対して設定した１つ又は複数の第２パラメータの値のうちの１つ又は複数を含む。
【０１２４】
本開示の実施例において、任意選択で、前記第１メッセージは、前記端末機器の消費電力に関する１つ又は複数の第３パラメータの値に対応する値をとる第１フィールドを含み、又は、前記第１メッセージは、１つの省電力モード又は省電力レベルの１つ又は複数の第４パラメータの値に対応する値をとる第２フィールドを含み、又は、前記第１メッセージは、１つ又は複数の第１ビット列を含む第３フィールドを含み、各前記第１ビット列の値は、前記端末機器の消費電力に関する第５パラメータの値に対応する。
【０１２５】
本開示の実施例において、任意選択で、前記第３パラメータ及び前記第３パラメータの値は、前記ネットワーク側機器によって設定されるか、プロトコルで取り決められる。又は、前記第４パラメータ及び前記第４パラメータの値は、前記ネットワーク側機器によって設定されるか、プロトコルで取り決められる。又は、前記第５パラメータ及び前記第５パラメータの値は、前記ネットワーク側機器によって設定されるか、プロトコルで取り決められる。
【０１２６】
本開示の実施例において、任意選択で、前記第１パラメータ、第２パラメータ、第３パラメータ、第４パラメータ又は第５パラメータは、前記端末機器の送信アンテナ又は送信チャネルの数と、前記端末機器の受信アンテナ又は受信チャネルの数と、同時に活性化される上りコンポーネントキャリアの数と、同時に活性化される下りコンポーネントキャリアの数と、ＰＤＣＣＨと前記ＰＤＣＣＨによりスケジューリングされるＰＤＳＣＨとの間の時間間隔と、ＰＤＳＣＨと対応する肯定応答ＮＡＣＫ又は否定応答ＮＡＣＫとの間の時間間隔と、ＰＤＣＣＨと前記ＰＤＣＣＨによりスケジューリングされるＰＵＳＣＨとの間の時間間隔と、ＰＤＳＣＨ処理遅延と、ＰＵＳＣＨ準備遅延と、下りＭＩＭＯレイヤ数と、上りＭＩＭＯレイヤ数と、ＰＤＣＣＨ傍受周期と、ＰＤＣＣＨ傍受オフセットと、ＰＤＣＣＨ傍受期間と、不連続受信ＤＲＸ周期と、ＢＷＰの帯域幅と、ＢＷＰのＩＤと、ＤＣと、ｎｏｎ−ＤＣと、最大上り伝送レートと、最大下り伝送レートと、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む。
【０１２７】
本開示の実施例に係るネットワーク側機器は、上記方法の実施例を実行することができ、その実現原理及び技術効果が類似するので、本実施例において繰り返して述べない。
【０１２８】
本開示の実施例は、端末機器を更に提供する。端末機器が問題を解決する原理は、本開示の実施例に係る設定方法と類似しているので、該端末機器の実施は、方法の実施を参照してもよく、繰り返した説明を避ける。
【０１２９】
図１０を参照し、本開示の実施例は、端末機器を更に提供する。該端末機器１０００は、前記端末機器の省電力モード又は省電力レベルの設定情報をネットワーク側機器から受信する第３受信モジュール１００１と、前記設定情報に基づいて、前記端末機器の省電力モード又は省電力レベルに対応する１つ又は複数の第６パラメータの値を設定する第２処理モジュール１００２とを含む。
【０１３０】
本開示の実施例において、任意選択で、前記第３受信モジュール１００１は、更に、無線リソース制御ＲＲＣシグナリング、メディアアクセス制御ＭＡＣシグナリング又はＰＤＣＣＨシグナリングによって、前記端末機器の省電力モード又は省電力レベルの設定情報を受信する。
【０１３１】
本開示の実施例において、任意選択で、前記設定情報は、前記端末機器の消費電力に関する１つ又は複数の第７パラメータの値に対応する値をとる第４フィールドを含む。又は、前記設定情報は、１つの省電力モード又は省電力レベルの１つ又は複数の第８パラメータの値に対応する値をとる第５フィールドを含む。又は、前記設定情報は、１つ又は複数の第２ビット列を含む第６フィールドを含み、各前記第２ビット列の値は、前記端末機器の消費電力に関する第９パラメータの値に対応する。
【０１３２】
本開示の実施例において、任意選択で、前記第７パラメータ及び前記第７パラメータの値は、前記ネットワーク側機器によって設定されるか、プロトコルで取り決められる。又は、前記第８パラメータ及び前記第８パラメータの値は、前記ネットワーク側機器によって設定されるか、プロトコルで取り決められる。又は、前記第９パラメータ及び前記第９パラメータの値は、前記ネットワーク側機器によって設定されるか、プロトコルで取り決められる。
【０１３３】
本開示の実施例において、任意選択で、前記第６パラメータ、第７パラメータ、第８パラメータ又は第９パラメータは、前記端末機器の送信アンテナ又は送信チャネルの数と、前記端末機器の受信アンテナ又は受信チャネルの数と、同時に活性化される上りコンポーネントキャリアの数と、同時に活性化される下りコンポーネントキャリアの数と、ＰＤＣＣＨと前記ＰＤＣＣＨによりスケジューリングされるＰＤＳＣＨとの間の時間間隔と、ＰＤＳＣＨと対応する肯定応答ＮＡＣＫ又は否定応答ＮＡＣＫとの間の時間間隔と、ＰＤＣＣＨと前記ＰＤＣＣＨによりスケジューリングされるＰＵＳＣＨとの間の時間間隔と、ＰＤＳＣＨ処理遅延と、ＰＵＳＣＨ準備遅延と、下りＭＩＭＯレイヤ数と、上りＭＩＭＯレイヤ数と、ＰＤＣＣＨ傍受周期と、ＰＤＣＣＨ傍受オフセットと、ＰＤＣＣＨ傍受期間と、不連続受信ＤＲＸ周期と、ＢＷＰの帯域幅と、ＢＷＰのＩＤと、ＤＣと、ｎｏｎ−ＤＣと、最大上り伝送レートと、最大下り伝送レートと、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む。
【０１３４】
本開示の実施例に係る端末機器は、上記方法の実施例を実行することができ、その実現原理及び技術効果が類似するので、本実施例において繰り返して述べない。
【０１３５】
本開示の実施例は、ネットワーク側機器を更に提供する。ネットワーク側機器が問題を解決する原理は、本開示の実施例に係る設定方法と類似しているので、該ネットワーク側機器の実施は、方法の実施を参照してもよく、繰り返した説明を避ける。
【０１３６】
図１１を参照し、本開示の実施例は、ネットワーク側機器を更に提供する。該ネットワーク側機器１１００は、前記端末機器に設定情報に基づいて前記端末機器の省電力モード又は省電力レベルに対応する１つ又は複数の第６パラメータの値を設定させるために、端末機器に前記端末機器の省電力モード又は省電力レベルの設定情報を送信する第３送信モジュール１１０１を含む。
【０１３７】
本開示の実施例において、任意選択で、前記第３送信モジュール１１０１は、更に、ＲＲＣシグナリング、ＭＡＣシグナリング又はＰＤＣＣＨシグナリングによって、前記端末機器の省電力モード又は省電力レベルの設定情報を前記端末機器に送信する。
【０１３８】
本開示の実施例において、任意選択で、前記設定情報は、前記端末機器の消費電力に関する１つ又は複数の第７パラメータの値に対応する値をとる第４フィールドを含む。又は、前記設定情報は、１つの省電力モード又は省電力レベルの１つ又は複数の第８パラメータの値に対応する値をとる第５フィールドを含む。又は、前記設定情報は、１つ又は複数の第２ビット列を含む第６フィールドを含み、各前記第２ビット列の値は、前記端末機器の消費電力に関する第９パラメータの値に対応する。
【０１３９】
本開示の実施例において、任意選択で、前記第７パラメータ及び前記第７パラメータの値は、前記ネットワーク側機器によって設定されるか、プロトコルで取り決められ、又は、前記第８パラメータ及び前記第８パラメータの値は、前記ネットワーク側機器によって設定されるか、プロトコルで取り決められ、又は、前記第９パラメータ及び前記第９パラメータの値は、前記ネットワーク側機器によって設定されるか、プロトコルで取り決められる。
【０１４０】
本開示の実施例において、任意選択で、前記第６パラメータ、第７パラメータ、第８パラメータ又は第９パラメータは、前記端末機器の送信アンテナ又は送信チャネルの数と、前記端末機器の受信アンテナ又は受信チャネルの数と、同時に活性化される上りコンポーネントキャリアの数と、同時に活性化される下りコンポーネントキャリアの数と、ＰＤＣＣＨと前記ＰＤＣＣＨによりスケジューリングされるＰＤＳＣＨとの間の時間間隔と、ＰＤＳＣＨと対応する肯定応答ＮＡＣＫ又は否定応答ＮＡＣＫとの間の時間間隔と、ＰＤＣＣＨと前記ＰＤＣＣＨによりスケジューリングされるＰＵＳＣＨとの間の時間間隔と、ＰＤＳＣＨ処理遅延と、ＰＵＳＣＨ準備遅延と、下りＭＩＭＯレイヤ数と、上りＭＩＭＯレイヤ数と、ＰＤＣＣＨ傍受周期と、ＰＤＣＣＨ傍受オフセットと、ＰＤＣＣＨ傍受期間と、ＢＷＰの帯域幅と、ＢＷＰのＩＤと、ＤＣと、ｎｏｎ−ＤＣと、最大上り伝送レートと、最大下り伝送レートと、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む。
【０１４１】
本開示の実施例に係るネットワーク側機器は、上記方法の実施例を実行することができ、その実現原理及び技術効果が類似するので、本実施例において繰り返して述べない。
【０１４２】
本開示の実施例は、端末機器を更に提供する。端末機器が問題を解決する原理は、本開示の実施例に係る設定方法と類似しているので、該端末機器の実施は、方法の実施を参照してもよく、繰り返した説明を避ける。
【０１４３】
図１２を参照し、本開示の実施例は、端末機器を更に提供する。該端末機器１２００は、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む第１０パラメータを１つ又は複数含む第２メッセージをネットワーク側機器に送信する第４送信モジュール１２０１と、前記第２メッセージの第２フィードバック情報を前記ネットワーク側機器から受信する第４受信モジュール１２０２と、前記第２フィードバック情報に基づいて前記第１０パラメータの値を設定し、又は前記第２フィードバック情報に基づいて信号処理を行う第３処理モジュール１２０３とを含む。
【０１４４】
本開示の実施例において、任意選択で、前記第２フィードバック情報は、前記第２メッセージに対する肯定応答ＮＡＣＫ又は否定応答ＮＡＣＫ、及び前記ネットワーク側機器が前記端末に対して設定した少なくとも１つの前記第１０パラメータの値のうちの少なくとも１つを含む。
【０１４５】
本開示の実施例に係る端末機器は、上記方法の実施例を実行することができ、その実現原理及び技術効果が類似するので、本実施例において繰り返して述べない。
【０１４６】
本開示の実施例は、ネットワーク側機器を更に提供する。ネットワーク側機器が問題を解決する原理は、本開示の実施例に係る設定方法と類似しているので、該ネットワーク側機器の実施は、方法の実施を参照してもよく、繰り返した説明を避ける。
【０１４７】
図１３を参照し、本開示の実施例は、ネットワーク側機器を更に提供する。該ネットワーク側機器１３００は、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む第１０パラメータを１つ又は複数含む第２メッセージを端末機器から受信する第５受信モジュール１３０１と、前記端末機器に第２フィードバック情報に基づいて前記第１０パラメータの値を設定させるか、又は前記第２フィードバック情報に基づいて信号処理を行わせるために、前記第２メッセージの第２フィードバック情報を前記端末機器に送信する第５送信モジュール１３０２とを含む。
【０１４８】
本開示の実施例において、任意選択で、前記第２フィードバック情報は、前記第２メッセージに対する肯定応答ＮＡＣＫ又は否定応答ＮＡＣＫ、及び前記ネットワーク側機器が前記端末に対して設定した少なくとも１つの前記第１０パラメータの値のうちの少なくとも１つを含む。
【０１４９】
本開示の実施例に係るネットワーク側機器は、上記方法の実施例を実行することができ、その実現原理及び技術効果が類似するので、本実施例において繰り返して述べない。
【０１５０】
図１４に示すように、図１４に示す端末機器１４００は、少なくとも１つのプロセッサ１４０１と、メモリ１４０２と、少なくとも１つのネットワークインタフェース１４０４と、ユーザインタフェース１４０３を含む。ユーザ機器１４００における各設定部品は、バスシステム１４０５を介して結合される。バスシステム１４０５は、これらの設定部品の間の接続と通信に用いられることが理解できる。バスシステム１４０５は、データバスのほかに、電源バス、制御バス及び状態信号バスを更に含む。ただし、明確に説明するために、図１４において、各種類のバスをすべてバスシステム１４０５として標記している。
【０１５１】
ここで、ユーザインタフェース１４０３は、ディスプレイ、キーボード又はポインティングデバイス（例えばマウス、トラックボール（ｔｒａｃｋ  ｂａｌｌ））、タッチパネル又はタッチスクリーンなどを含む。
【０１５２】
本開示の実施例におけるメモリ１４０２は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ１４０２は、これらに限られず、これら及びこれら以外の任意の適合する種類のメモリを含むとする。
【０１５３】
一部実施例において、メモリ１４０２には、実行可能なモジュール又はデータ構造、又はそれらのサブセット、又は、それらの拡張セットであるオペレーションシステム１４０２１とアプリケーションプログラム１４０２２が記憶されている。
【０１５４】
ここで、オペレーションシステム１４０２１は、フレーム層、コアライブラリ層、駆動層など各種類のシステムプログラムを含み、各種類のベーシックサービスの実現及びハードウェアによるタスクの処理に用いられる。アプリケーションプログラム１４０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム１４０２２に含まれる。
【０１５５】
本開示の一実施例において、メモリ１４０２に保存されているプログラム又は指令を呼び出し、具体的に、アプリケーションプログラム１４０２２に保存されているプログラム又は指令を呼び出すことによって、前記端末機器の省電力モード又は省電力レベルを明示的又は暗黙的に指示する第１メッセージをネットワーク側機器に送信するステップと、前記ネットワーク側機器から前記第１メッセージの第１フィードバック情報を受信するステップと、前記第１フィードバック情報に基づいて、前記端末機器の消費電力に関する１つ又は複数の第１パラメータの値を設定するステップとが実現される。
【０１５６】
本開示の別の実施例において、メモリ１４０２に保存されているプログラム又は指令を呼び出し、具体的に、アプリケーションプログラム１４０２２に保存されているプログラム又は指令を呼び出すことによって、前記端末機器の省電力モード又は省電力レベルの設定情報をネットワーク側機器から受信するステップと、前記設定情報に基づいて、前記端末機器の省電力モード又は省電力レベルに対応する１つ又は複数の第６パラメータの値を設定するステップとが実現される。
【０１５７】
本開示の別の実施例において、メモリ１４０２に保存されているプログラム又は指令を呼び出し、具体的に、アプリケーションプログラム１４０２２に保存されているプログラム又は指令を呼び出すことによって、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む第１０パラメータを１つ又は複数含む第２メッセージをネットワーク側機器に送信するステップと、前記第２メッセージの第２フィードバック情報を前記ネットワーク側機器から受信するステップと、前記第２フィードバック情報に基づいて前記第１０パラメータの値を設定するか、又は前記第２フィードバック情報に基づいて信号処理を行うステップとが実現される。
【０１５８】
本開示の実施例に係る端末機器は、上記方法の実施例を実行することができ、その実現原理及び技術効果が類似するので、本実施例において繰り返して述べない。
【０１５９】
図１５を参照し、図１５は、本開示の実施例が応用されるネットワーク側機器の構造図である。図１５に示すように、ネットワーク側機器１５００は、プロセッサ１５０１と、トランシーバ１５０２と、メモリ１５０３と、バスインタフェースを含む。ここで、本開示の実施例において、ネットワーク側機器１５００は、メモリ１５０３に格納されてプロセッサ１５０１で動作可能なコンピュータプログラムを更に含む。該コンピュータプログラムがプロセッサ１５０１によって実行されると、端末機器から、前記端末機器の省電力モード又は省電力レベルを明示的又は暗黙的に指示する第１メッセージを受信するステップと、前記端末機器に第１フィードバック情報に基づいて前記端末機器の消費電力に関する１つ又は複数の第１パラメータの値を設定させるために、前記端末機器に前記第１メッセージの第１フィードバック情報を送信するステップとが実現される。
【０１６０】
本開示の別の実施例において、ネットワーク側機器１５００は、メモリ１５０３に格納されてプロセッサ１５０１で動作可能なコンピュータプログラムを更に含む。該コンピュータプログラムがプロセッサ１５０１によって実行されると、前記端末機器に設定情報に基づいて前記端末機器の省電力モード又は省電力レベルの１つ又は複数の第６パラメータの値を設定させるために、端末機器に前記端末機器の省電力モード又は省電力レベルの設定情報を送信するステップが実現される。
【０１６１】
本開示の別の実施例において、ネットワーク側機器１５００は、メモリ１５０３に格納されてプロセッサ１５０１で動作可能なコンピュータプログラムを更に含む。該コンピュータプログラムがプロセッサ１５０１によって実行されると、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む第１０パラメータを１つ又は複数含む第２メッセージを端末機器から受信するステップと、前記端末機器に第２フィードバック情報に基づいて前記第１０パラメータの値を設定させるか、又は前記第２フィードバック情報に基づいて信号処理を行わせるために、前記第２メッセージの第２フィードバック情報を前記端末機器に送信するステップとが実現される。
【０１６２】
図１５において、バスアーキテクチャは、任意数の相互接続するバスとブリッジを含み、具体的に、プロセッサ１５０１をはじめとする１つ又は複数のプロセッサとメモリ１５０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本開示の実施例においてさらなる記載をしない。バスインタフェースにより、インタフェースが提供される。トランシーバ１５０２は、複数の部品であってもよく、即ち送信機と受信機を含み、伝送媒体でほかの各種類の装置と通信するユニットとして提供される。
【０１６３】
プロセッサ１５０１は、バスアーキテクチャと通常の処理を管理する。メモリ１５０３は、プロセッサ１５０１による操作実行に使用されるデータを記憶できる。
【０１６４】
本開示の実施例に係るネットワーク側機器は、上記方法の実施例を実行することができ、その実現原理及び技術効果が類似するので、本実施例において繰り返して述べない。
【０１６５】
本開示の開示内容と関連付けて記載した方法又はアルゴリズムのステップは、ハードウェアの方式で実現されてもよく、プロセッサでソフトウェア指令を実行する方式で実現されてもよい。ソフトウェア指令は、対応するソフトウェアモジュールで設定される。ソフトウェアモジュールは、ＲＡＭ、フラッシュメモリ、ＲＯＭ、ＥＰＲＯＭ、ＥＥＰＲＯＭ、レジスタ、ハードディスク、移動ハードディスク、リードオンリー光ディスク又は本分野で周知されているあらゆる形式の記憶媒体に位置する。例示的な記憶媒体は、プロセッサに結合される。よって、プロセッサは、当該記憶媒体から情報を読み取り、且つ当該記憶媒体に情報を書き込むことができる。もちろん、記憶媒体は、プロセッサの設定部分であってもよい。プロセッサと記憶媒体は、ＡＳＩＣに位置してもよい。また、当該ＡＳＩＣは、コアネットワークインタフェース機器に位置してもよい。もちろん、プロセッサと記憶媒体は、分離設定としてコアネットワークインタフェース機器に位置してもよい。
【０１６６】
上記の１つ又は複数の例において、本開示に記載の機能がハードウェア、ソフトウェア、ファームウェア又はそれらの組み合わせによって実現可能であることは、当業者が意識可能である。ソフトウェアで実現される場合、これらの機能をコンピュータ読み取り可能な媒体に記憶するか、コンピュータ読み取り可能な媒体の１つ又は複数の指令又はコードとして伝送される。コンピュータ読み取り可能な媒体は、コンピュータ記憶媒体と通信媒体を含む。通信媒体は、１つの場所から別の場所へコンピュータプログラムを伝送するあらゆる媒体を含む。記憶媒体は、汎用又は特殊用途向けのコンピュータによってアクセス可能なあらゆる利用可能な媒体である。
【０１６７】
以上に記載した具体的な実施形態によって、本開示の目的、技術手段及び効果をさらなる詳細な説明をした。なお、以上の記載は、本開示の具体的な実施形態に過ぎず、本開示の保護範囲を限定するためのものではない。本開示の技術手段を基に為したあらゆる修正、均等置換及び改良などは、すべて本開示の保護範囲に含まれるべきである。
【０１６８】
本開示の実施例が、方法、システム、又はコンピュータプログラム製品として提供できることは、当業者には理解できる。従って、本開示の実施例は、完全なハードウェア実施例、完全なソフトウェア実施例、又はソフトウェアとハードウェアを組み合わせた実施例の形態を採用できる。更に、本開示の実施例は、コンピュータ使用可能プログラムコードを含む１つ又は複数のコンピュータ使用可能記憶媒体（磁気ディスクメモリ、ＣＤ−ＲＯＭ（Ｃｏｍｐａｃｔ  Ｄｉｓｃ  Ｒｅａｄ−Ｏｎｌｙ  Ｍｅｍｏｒｙ）、光学メモリなどを含むが、それに限られない）で実施されるコンピュータプログラム製品の形態を採用できる。
【０１６９】
本開示の実施例は、本開示の実施例による方法、機器（システム）、及びコンピュータプログラム製品のフローチャート及び／又はブロック図を参照して説明される。フローチャート及び／又はブロック図の各フロー及び／又はブロック、並びにフローチャート及び／又はブロック図におけるフロー及び／又はブロックの組み合わせは、コンピュータプログラム指令によって実現されることが理解できる。これらのコンピュータプログラム指令は、汎用コンピュータ、専用コンピュータ、組み込みプロセッサ、又は他のプログラム可能なデータ処理端末機器のプロセッサに提供されて、マシンを生成し、コンピュータ又は他のプログラム可能なデータ処理端末機器のプロセッサによって実行される指令が、フローチャートの１つのフロー若しくは複数のフロー及び／又はブロック図の１つのブロック若しくは複数のブロックにおいて指定される機能を実現するための手段を生成するようにしてもよい。
【０１７０】
これらのコンピュータプログラム指令は、コンピュータ又は他のプログラム可能なデータ処理端末機器に特定の方法で機能するように指示することができるコンピュータ可読メモリに記憶されてもよく、その結果、コンピュータ可読メモリに記憶された指令は、フローチャートの１つ若しくは複数の流れ、及び／又はブロック図の１つ若しくは複数のブロックにおいて指定された機能を実現する指令手段を含む製品を生成する。
【０１７１】
これらのコンピュータプログラム指令は、コンピュータ又は他のプログラム可能な端末機器上で一連の動作ステップを実行してコンピュータ実現プロセスを生成し、それにより、コンピュータ又は他のプログラム可能な端末機器上で実行される指令が、フローチャートの１つのフロー若しくは複数のフロー及び／又はブロック図の１つのブロック若しくは複数のブロックにおいて指定される機能を実現するためのステップを提供するように、コンピュータ又は他のプログラム可能なデータ処理端末機器上にロードされてもよい。
【０１７２】
明らかに、当業者は、本開示の実施例に対し、本開示の趣旨や範囲を逸脱することなく様々な変更や変形を行うことができる。このように、本開示の実施例のこれらの修正や変形が本開示の特許請求の範囲及びその同等技術の範囲に属するのであれば、本開示は、これらの変更や変形を含むものとする。
【図１】
2021524711.tif 000009
【図２】
2021524711.tif 000010
【図３】
2021524711.tif 000011
【図４】
2021524711.tif 000012
【図５】
2021524711.tif 000013
【図６】
2021524711.tif 000014
【図７】
2021524711.tif 000015
【図８】
2021524711.tif 000016
【図９】
2021524711.tif 000017
【図１０】
2021524711.tif 000018
【図１１】
2021524711.tif 000019
【図１２】
2021524711.tif 000020
【図１３】
2021524711.tif 000021
【図１４】
2021524711.tif 000022
【図１５】
2021524711.tif 000023
【手続補正書】
【提出日】令和3年2月25日(2021.2.25)
【手続補正１】
【補正対象書類名】明細書
【補正対象項目名】００４８
【補正方法】変更
【補正の内容】
【００４８】
例えば、第１メッセージは、２ビット（ｂｉｔ）を含み、表２のように示されている。
【手続補正２】
【補正対象書類名】明細書
【補正対象項目名】００５３
【補正方法】変更
【補正の内容】
【００５３】
例えば、第１メッセージは、２ビットを含み、表３のように示される。
【手続補正３】
【補正対象書類名】明細書
【補正対象項目名】００５４
【補正方法】変更
【補正の内容】
【００５４】
【表３】
2021524711.tif 000024
【手続補正４】
【補正対象書類名】明細書
【補正対象項目名】００７５
【補正方法】変更
【補正の内容】
【００７５】
例えば、設定情報は、２ビット（ｂｉｔ）を含み、表５のように示されている。
【手続補正５】
【補正対象書類名】明細書
【補正対象項目名】００７９
【補正方法】変更
【補正の内容】
【００７９】
例えば、設定情報は、２ビットを含み、表６のように示される。
【手続補正６】
【補正対象書類名】明細書
【補正対象項目名】０１１１
【補正方法】変更
【補正の内容】
【０１１１】
例２：
ステップ１において、ユーザ機器ＵＥは、基地局から省電力モード（ｐｏｗｅｒ  ｓａｖｉｎｇ  ｍｏｄｅ）又は省電力レベル（ｐｏｗｅｒ  ｓａｖｉｎｇ  ｌｅｖｅｌ）の配置情報を受信する。
ステップ２において、ユーザ機器ＵＥは、設定情報に基づいて、省電力モード又は省電力レベルのパラメータを設定する。
省電力モード又は省電力レベルについて：
複数種類の省電力モード（ｐｏｗｅｒ  ｓａｖｉｎｇ  ｍｏｄｅ  Ｘ）又は省電力レベル（ｐｏｗｅｒ  ｓａｖｉｎｇ  ｌｅｖｅｌ  Ｘ）（Ｘ＝１，２…Ｎ）のうち、
−ｐｏｗｅｒ  ｓａｖｉｎｇ  ｍｏｄｅ１：パラメータＡは、値ａ１を、パラメータＢは、値ｂ１を、・・・、パラメータＭは、値ｍ１をとる。
−ｐｏｗｅｒ  ｓａｖｉｎｇ  ｍｏｄｅ２：パラメータＡは、値ａ２を、パラメータＢは、値ｂ２を、・・・、パラメータＭは、値ｍ２をとる。
・・・。
なお、基地局は、各省電力モード又は省電力レベルに対応するパラメータリスト及び各パラメータの値を設定し、もちろん、これに限定されない。
任意選択で、省電力モード又は省電力レベルのパラメータは、以下のうちの１つ又は複数を含む。
ユーザ機器ＵＥの送信アンテナ又は送信チャネルの数；
ユーザ機器ＵＥの受信アンテナ又は受信チャネルの数；
同時に活性化される上りＣＣの数；
同時に活性化される下りＣＣの数；
パラメータＫ０／Ｋ１／Ｋ２；
パラメータＮ１／Ｎ２；
ＣＳＩ−ＲＳ設定のユーザ機器ＵＥによる受信からＣＳＩ報告までの遅延／ＣＳＩ−ＲＳのユーザ機器ＵＥによる測定からＣＳＩ報告までの遅延；
下りＭＩＭＯ  ｌａｙｅｒ数；
上りＭＩＭＯ  ｌａｙｅｒ数；
ＰＤＣＣＨ  ｍｏｎｉｔｏｒｉｎｇ周期／ｏｆｆｓｅｔ／ｄｕｒａｔｉｏｎ；
ＢＷＰ帯域幅／ＢＷＰ  ＩＤ；
ＤＣ／ｎｏｎ−ＤＣ；
最大上りレート／最大下りレート；
同時処理のＣＳＩ報告（ＣＳＩ  ｒｅｐｏｒｔ）、ビーム管理報告（ｂｅａｍ  ｍａｎａｇｅｍｅｎｔ  ｒｅｐｏｒｔ）数；
同時に受信又は処理する測定リソースの数；及び
ＣＳＩ報告（ＣＳＩ  ｒｅｐｏｒｔ）に関する遅延又はビーム管理報告（ｂｅａｍ  ｍａｎａｇｅｍｅｎｔ  ｒｅｐｏｒｔ）に関する遅延。
【手続補正７】
【補正対象書類名】明細書
【補正対象項目名】０１５０
【補正方法】変更
【補正の内容】
【０１５０】
図１４に示すように、図１４に示す端末機器１４００は、少なくとも１つのプロセッサ１４０１と、メモリ１４０２と、少なくとも１つのネットワークインタフェース１４０４と、ユーザインタフェース１４０３を含む。端末機器１４００における各設定部品は、バスシステム１４０５を介して結合される。バスシステム１４０５は、これらの設定部品の間の接続と通信に用いられることが理解できる。バスシステム１４０５は、データバスのほかに、電源バス、制御バス及び状態信号バスを更に含む。ただし、明確に説明するために、図１４において、各種類のバスをすべてバスシステム１４０５として標記している。
【手続補正８】
【補正対象書類名】明細書
【補正対象項目名】０１５２
【補正方法】変更
【補正の内容】
【０１５２】
本開示の実施例におけるメモリ１４０２は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載の端末機器１４００及び方法におけるメモリ１４０２は、これらに限られず、これら及びこれら以外の任意の適合する種類のメモリを含むとする。
【手続補正９】
【補正対象書類名】特許請求の範囲
【補正対象項目名】全文
【補正方法】変更
【補正の内容】
【特許請求の範囲】
【請求項１】
端末機器に応用される設定方法であって、
前記端末機器の省電力モード又は省電力レベルの設定情報をネットワーク側機器から受信することと、
前記設定情報に基づいて、前記端末機器の省電力モード又は省電力レベルに対応する１つ又は複数の第６パラメータの値を設定することとを含む、設定方法。
【請求項２】
前記の前記端末機器の省電力モード又は省電力レベルの設定情報をネットワーク側機器から受信することは、
無線リソース制御ＲＲＣシグナリング、メディアアクセス制御ＭＡＣシグナリング又は物理下り制御チャネルＰＤＣＣＨシグナリングによって、前記端末機器の省電力モード又は省電力レベルの設定情報を受信することを含む、請求項１に記載の設定方法。
【請求項３】
前記設定情報は、前記端末機器の消費電力に関する１つ又は複数の第７パラメータの値に対応する値をとる第４フィールドを含み、又は、
前記設定情報は、１つの省電力モード又は省電力レベルの１つ又は複数の第８パラメータの値に対応する値をとる第５フィールドを含み、又は、
前記設定情報は、１つ又は複数の第２ビット列を含む第６フィールドを含み、各前記第２ビット列の値は、前記端末機器の消費電力に関する第９パラメータの値に対応する、請求項１又は２に記載の設定方法。
【請求項４】
前記第７パラメータ及び前記第７パラメータの値は、前記ネットワーク側機器によって設定されるか、プロトコルで取り決められ、又は、
前記第８パラメータ及び前記第８パラメータの値は、前記ネットワーク側機器によって設定されるか、プロトコルで取り決められ、又は、
前記第９パラメータ及び前記第９パラメータの値は、前記ネットワーク側機器によって設定されるか、プロトコルで取り決められる、請求項３に記載の設定方法。
【請求項５】
前記第６パラメータ、前記第７パラメータ、前記第８パラメータ又は前記第９パラメータは、
前記端末機器の送信アンテナ又は送信チャネルの数と、前記端末機器の受信アンテナ又は受信チャネルの数と、同時に活性化される上りコンポーネントキャリアの数と、同時に活性化される下りコンポーネントキャリアの数と、物理下り制御チャネルＰＤＣＣＨと前記物理下り制御チャネルＰＤＣＣＨによりスケジューリングされる物理下り共有チャネルＰＤＳＣＨとの間の時間間隔と、物理下り共有チャネルＰＤＳＣＨと対応する肯定応答ＮＡＣＫ又は否定応答ＮＡＣＫとの間の時間間隔と、物理下り制御チャネルＰＤＣＣＨと前記物理下り制御チャネルＰＤＣＣＨによりスケジューリングされるＰＵＳＣＨとの間の時間間隔と、物理下り共有チャネルＰＤＳＣＨ処理遅延と、ＰＵＳＣＨ準備遅延と、下りＭＩＭＯレイヤ数と、上りＭＩＭＯレイヤ数と、物理下り制御チャネルＰＤＣＣＨ傍受周期と、物理下り制御チャネルＰＤＣＣＨ傍受オフセットと、物理下り制御チャネルＰＤＣＣＨ傍受期間と、不連続受信ＤＲＸ周期と、ＢＷＰの帯域幅と、ＢＷＰのＩＤと、ＤＣと、ｎｏｎ−ＤＣと、最大上り伝送レートと、最大下り伝送レートと、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む、請求項１〜４のいずれか１項に記載の設定方法。
【請求項６】
ネットワーク側機器に応用される設定方法であって、
前記端末機器に設定情報に基づいて前記端末機器の省電力モード又は省電力レベルの１つ又は複数の第６パラメータの値を設定させるために、端末機器に前記端末機器の省電力モード又は省電力レベルの設定情報を送信することを含む、設定方法。
【請求項７】
前記の端末機器に前記端末機器の省電力モード又は省電力レベルの設定情報を送信することは、
ＲＲＣシグナリング、ＭＡＣシグナリング又は物理下り制御チャネルＰＤＣＣＨシグナリングによって、前記端末機器の省電力モード又は省電力レベルの設定情報を前記端末機器に送信することを含む、請求項６に記載の設定方法。
【請求項８】
前記設定情報は、前記端末機器の消費電力に関する１つ又は複数の第７パラメータの値に対応する値をとる第４フィールドを含み、又は、
前記設定情報は、１つの省電力モード又は省電力レベルの１つ又は複数の第８パラメータの値に対応する値をとる第５フィールドを含み、又は、
前記設定情報は、１つ又は複数の第２ビット列を含む第６フィールドを含み、各前記第２ビット列の値は、前記端末機器の消費電力に関する第９パラメータの値に対応する、請求項６又は７に記載の設定方法。
【請求項９】
前記第７パラメータ及び前記第７パラメータの値は、前記ネットワーク側機器によって設定されるか、プロトコルで取り決められ、又は、
前記第８パラメータ及び前記第８パラメータの値は、前記ネットワーク側機器によって設定されるか、プロトコルで取り決められ、又は、
前記第９パラメータ及び前記第９パラメータの値は、前記ネットワーク側機器によって設定されるか、プロトコルで取り決められる、請求項８に記載の設定方法。
【請求項１０】
前記第６パラメータ、前記第７パラメータ、前記第８パラメータ又は前記第９パラメータは、
前記端末機器の送信アンテナ又は送信チャネルの数と、前記端末機器の受信アンテナ又は受信チャネルの数と、同時に活性化される上りコンポーネントキャリアの数と、同時に活性化される下りコンポーネントキャリアの数と、物理下り制御チャネルＰＤＣＣＨと前記物理下り制御チャネルＰＤＣＣＨによりスケジューリングされる物理下り共有チャネルＰＤＳＣＨとの間の時間間隔と、物理下り共有チャネルＰＤＳＣＨと対応する肯定応答ＮＡＣＫ又は否定応答ＮＡＣＫとの間の時間間隔と、物理下り制御チャネルＰＤＣＣＨと前記物理下り制御チャネルＰＤＣＣＨによりスケジューリングされるＰＵＳＣＨとの間の時間間隔と、物理下り共有チャネルＰＤＳＣＨ処理遅延と、ＰＵＳＣＨ準備遅延と、下りＭＩＭＯレイヤ数と、上りＭＩＭＯレイヤ数と、物理下り制御チャネルＰＤＣＣＨ傍受周期と、物理下り制御チャネルＰＤＣＣＨ傍受オフセットと、物理下り制御チャネルＰＤＣＣＨ傍受期間と、ＢＷＰの帯域幅と、ＢＷＰのＩＤと、ＤＣと、ｎｏｎ−ＤＣと、最大上り伝送レートと、最大下り伝送レートと、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む、請求項７〜９のいずれか１項に記載の設定方法。
【請求項１１】
端末機器に応用される設定方法であって、
前記端末機器の省電力モード又は省電力レベルを明示的又は暗黙的に指示する第１メッセージをネットワーク側機器に送信することと、
前記ネットワーク側機器から前記第１メッセージの第１フィードバック情報を受信することと、
前記第１フィードバック情報に基づいて、前記端末機器の消費電力に関する１つ又は複数の第１パラメータの値を設定することとを含む、設定方法。
【請求項１２】
前記第１メッセージは、前記端末機器の消費電力に関する１つ又は複数の第３パラメータの値に対応する値をとる第１フィールドを含み、又は、
前記第１メッセージは、１つの省電力モード又は省電力レベルの１つ又は複数の第４パラメータの値に対応する値をとる第２フィールドを含み、又は、
前記第１メッセージは、１つ又は複数の第１ビット列を含む第３フィールドを含み、各前記第１ビット列の値は、前記端末機器の消費電力に関する第５パラメータの値に対応する、請求項１１に記載の設定方法。
【請求項１３】
前記第１パラメータ、前記第３パラメータ、前記第４パラメータ又は前記第５パラメータは、
前記端末機器の送信アンテナ又は送信チャネルの数と、前記端末機器の受信アンテナ又は受信チャネルの数と、同時に活性化される上りコンポーネントキャリアの数と、同時に活性化される下りコンポーネントキャリアの数と、物理下り制御チャネルＰＤＣＣＨと前記物理下り制御チャネルＰＤＣＣＨによりスケジューリングされる物理下り共有チャネルＰＤＳＣＨとの間の時間間隔と、物理下り共有チャネルＰＤＳＣＨと対応する肯定応答ＮＡＣＫ又は否定応答ＮＡＣＫとの間の時間間隔と、物理下り制御チャネルＰＤＣＣＨと前記物理下り制御チャネルＰＤＣＣＨによりスケジューリングされる物理上り共有チャネルＰＵＳＣＨとの間の時間間隔と、物理下り共有チャネルＰＤＳＣＨ処理遅延と、ＰＵＳＣＨ準備遅延と、下り多入力多出力ＭＩＭＯレイヤ数と、上りＭＩＭＯレイヤ数と、物理下り制御チャネルＰＤＣＣＨ傍受周期と、物理下り制御チャネルＰＤＣＣＨ傍受オフセットと、物理下り制御チャネルＰＤＣＣＨ傍受期間と、不連続受信ＤＲＸ周期と、帯域幅部分ＢＷＰの帯域幅と、ＢＷＰの識別子ＩＤと、デュアル接続ＤＣと、非デュアル接続ｎｏｎ−ＤＣと、最大上り伝送レートと、最大下り伝送レートと、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む、請求項１２に記載の設定方法。
【請求項１４】
ネットワーク側機器に応用される設定方法であって、
端末機器から、前記端末機器の省電力モード又は省電力レベルを明示的又は暗黙的に指示する第１メッセージを受信することと、
前記端末機器に第１フィードバック情報に基づいて前記端末機器の消費電力に関する１つ又は複数の第１パラメータの値を設定させるために、前記端末機器に前記第１メッセージの第１フィードバック情報を送信することとを含む、設定方法。
【請求項１５】
前記第１メッセージは、前記端末機器の消費電力に関する１つ又は複数の第３パラメータの値に対応する値をとる第１フィールドを含み、又は、
前記第１メッセージは、１つの省電力モード又は省電力レベルの１つ又は複数の第４パラメータの値に対応する値をとる第２フィールドを含み、又は、
前記第１メッセージは、１つ又は複数の第１ビット列を含む第３フィールドを含み、各前記第１ビット列の値は、前記端末機器の消費電力に関する第５パラメータの値に対応する、請求項１４に記載の設定方法。
【請求項１６】
前記第１パラメータ、前記第３パラメータ、前記第４パラメータ又は前記第５パラメータは、
前記端末機器の送信アンテナ又は送信チャネルの数と、前記端末機器の受信アンテナ又は受信チャネルの数と、同時に活性化される上りコンポーネントキャリアの数と、同時に活性化される下りコンポーネントキャリアの数と、物理下り制御チャネルＰＤＣＣＨと前記物理下り制御チャネルＰＤＣＣＨによりスケジューリングされる物理下り共有チャネルＰＤＳＣＨとの間の時間間隔と、物理下り共有チャネルＰＤＳＣＨと対応する肯定応答ＮＡＣＫ又は否定応答ＮＡＣＫとの間の時間間隔と、物理下り制御チャネルＰＤＣＣＨと前記物理下り制御チャネルＰＤＣＣＨによりスケジューリングされるＰＵＳＣＨとの間の時間間隔と、物理下り共有チャネルＰＤＳＣＨ処理遅延と、ＰＵＳＣＨ準備遅延と、下りＭＩＭＯレイヤ数と、上りＭＩＭＯレイヤ数と、物理下り制御チャネルＰＤＣＣＨ傍受周期と、物理下り制御チャネルＰＤＣＣＨ傍受オフセットと、物理下り制御チャネルＰＤＣＣＨ傍受期間と、不連続受信ＤＲＸ周期と、ＢＷＰの帯域幅と、ＢＷＰのＩＤと、ＤＣと、ｎｏｎ−ＤＣと、最大上り伝送レートと、最大下り伝送レートと、前記端末機器が同時に処理するＣＳＩ報告の数と、前記端末機器が同時に処理するビーム管理報告の数と、前記端末機器が同時に受信又は処理する測定リソースの数と、ＣＳＩ報告に関する遅延と、ビーム管理報告に関する遅延のうちの少なくとも１つを含む、請求項１５に記載の設定方法。
【請求項１７】
プロセッサと、メモリと、前記メモリに格納されて前記プロセッサで動作可能なコンピュータプログラムを含む端末機器であって、
前記コンピュータプログラムが前記プロセッサによって実行されると、請求項１〜５のいずれか１項に記載の設定方法のステップが実現され、又は、請求項１１〜１３のいずれか１項に記載の設定方法のステップが実現される、端末機器。
【請求項１８】
プロセッサと、メモリと、前記メモリに格納されて前記プロセッサで動作可能なコンピュータプログラムを含むネットワーク側機器であって、
前記コンピュータプログラムが前記プロセッサによって実行されると、請求項６〜１０のいずれか１項に記載の設定方法のステップが実現され、又は、請求項１４〜１６のいずれか１項に記載の設定方法のステップが実現される、ネットワーク側機器。
【国際調査報告】
2021524711.tif 000025
2021524711.tif 000026
2021524711.tif 000027
2021524711.tif 000028